(57)【特許請求の範囲】
【請求項１】
セルラーネットワークで放送サービスを提供するための方法であって、
ＭＢＳデータの伝達前に、放送サーバが、マルチキャストコネクションセットアップを要請するために制御局にセッション開始要請メッセージを伝送する過程と、
前記制御局が、前記セッション開始要請メッセージの情報を基盤に前記放送サーバと前記制御局間のマルチキャストコネクションを設定する過程と、
前記マルチキャストコネクションを設定した後、前記制御局が、前記セッション開始要請メッセージに対する応答メッセージを前記放送サーバに伝送する過程と、
前記制御局が、ＭＢＳデータ経路設定及び無線資源予約を要請するため、該当放送ゾーンに属する少なくとも一つの基地局に経路登録要請メッセージを伝送する過程と、
前記少なくとも一つの基地局が、前記経路登録要請メッセージの情報を基盤に前記制御局と前記基地局間のマルチキャストコネクションを設定する過程と、
前記マルチキャストコネクションを設定した後、前記少なくとも一つの基地局が、前記経路登録要請メッセージに対する応答として経路登録応答メッセージを前記制御局に伝送する過程と、を含み、
前記放送サーバと制御局の間のデータ経路設定はコンテンツ単位で行われ、前記制御局と基地局の間のデータ経路設定は放送ゾーン単位で行われることを特徴とする方法。
【請求項２】
前記制御局は、ＩＧＭＰ（Ｉｎｔｅｒｎｅｔ ｇｒｏｕｐ ｍａｎａｇｅｍｅｎｔ ｐｒｏｔｏｃｏｌ）ジョイン（ｊｏｉｎ）を通じて前記放送サーバと前記制御局間のマルチキャストコネクションを設定し、前記基地局は、ＩＧＭＰ（Ｉｎｔｅｒｎｅｔ ｇｒｏｕｐ ｍａｎａｇｅｍｅｎｔ ｐｒｏｔｏｃｏｌ）ジョイン（ｊｏｉｎ）を通じて前記制御局と前記基地局間のマルチキャストコネクションを設定することを特徴とする請求項１に記載の方法。
【請求項３】
前記セッション開始要請メッセージは、ＭＢＳゾーンＩＤ、Ｒ３マルチキャストＩＰアドレス、（Ｒ３放送チャンネルＩＰ ｖｓ ＭＢＳゾーンＩＤ ＆ ＭＣＩＤ）マッピング情報、ＭＢＳゾーンＩＤに対応するＭＣＩＤ、放送サービス開始及び終了時間、ＭＢＳゾーン別エアスケジューリング情報、ＭＣＩＤ別エアスケジューリング情報、ＭＢＳ ＭＡＰメッセージに対するエアスケジューリング情報、ＡＳＮ＿ＧＷがＩＧＭＰ Ｊｏｉｎ＆Ｌｅａｖｅすべきネットワークエレメントアドレス、伝送タイプ、ソースＩＤ、目的先ＩＤのうち少なくとも一つを含むことを特徴とする請求項１に記載の方法。
【請求項４】
前記経路登録要請メッセージは、ＭＢＳゾーンＩＤ、Ｒ６マルチキャストＩＰアドレス、該当ＭＢＳゾーンＩＤに対応するＭＣＩＤ、ＧＲＥ（Ｇｅｎｅｒｉｃ Ｒｏｕｔｉｎｇ Ｅｎｃａｐｓｕｌａｔｉｏｎ）キー、放送サービス開始及び終了時間（ＴｏＤ）、ＭＢＳゾーン別エアスケジューリング情報、ＭＣＩＤ別エアスケジューリング情報、ＭＢＳ ＭＡＰメッセージに対するエアスケジューリング情報、基地局がＩＧＭＰ Ｊｏｉｎ＆Ｌｅａｖｅすべきネットワークエレメントアドレス、伝送タイプ、ソースＩＤ、目的先ＩＤのうち少なくとも一つを含むことを特徴とする請求項１に記載の方法。
【請求項５】
ＭＢＳデータ伝達が始まれば、前記放送サーバが、Ｒ３放送チャンネルＩＰアドレスを利用して放送パケットを制御局にマルチキャスト或いはユニキャストする過程と、
前記制御局が、受信された放送パケットを無線区間のバーストサイズに合わせてパケット化（ｐａｃｋｅｔｉｚａｔｉｏｎ）して ＭＡＣ（Ｍｅｄｉａ Ａｃｃｅｓｓ Ｃｏｎｔｒｏｌ）ＳＤＵ（Ｓｅｒｖｉｃｅ Ｄａｔａ Ｕｎｉｔ）を生成する過程と、
前記制御局が、前記ＭＡＣ ＳＤＵに放送絶対時間をタイムスタンピングし、前記ＭＡＣ ＳＤＵにＧＲＥヘッダを付けてトンネリングパケットを生成する過程と、
前記制御局が、前記トンネリングパケットにＲ６マルチキャストＩＰヘッダを付けてＩＰパケットを生成し、前記ＩＰパケットを該当放送ゾーンに属する基地局にマルチキャストする過程と、をさらに含むことを特徴とする請求項１に記載の方法。
【請求項６】
セルラーネットワークで放送サービスを提供するための方法であって、
ＭＢＳデータ伝達が完了すれば、放送サーバが、マルチキャスト解除を要請するために、制御局にセッション解除要請メッセージを伝送する過程と、
前記制御局が、前記セッション解除要請メッセージの情報を基盤に前記放送サーバと前記制御局間のマルチキャストコネクションを解除する過程と、
前記マルチキャストコネクションを解除した後、前記制御局が、前記セッション解除要請メッセージに対する応答としてセッション解除応答メッセージを前記放送サーバに伝送する過程と、
前記制御局が、ＭＢＳデータ経路解除及び無線資源解除を要請するために、該当放送ゾーンに属する少なくとも一つの基地局に経路解除要請メッセージを伝送する過程と、
前記少なくとも一つの基地局が、前記経路解除要請メッセージの情報を基盤に前記制御局と前記基地局間のマルチキャストコネクションを解除する過程と、
前記マルチキャストコネクションを解除した後、前記少なくとも一つの基地局が、前記経路解除要請メッセージに対する応答として経路解除応答メッセージを前記制御局に伝送する過程と、を含み、
前記放送サーバと制御局の間のデータ経路解除はコンテンツ単位で行われ、前記制御局と基地局の間のデータ経路解除は放送ゾーン単位で行われることを特徴とする方法。
【請求項７】
前記セッション解除要請メッセージは、ＭＢＳゾーンＩＤ及び該当ＭＢＳゾーンＩＤに対応する解除ＭＣＩＤのうち少なくとも一つを含むことを特徴とする請求項６に記載の方法。
【請求項８】
前記経路解除要請メッセージは、基地局識別子、ＭＢＳゾーンＩＤ、ＧＲＥキー、該当ＭＢＳゾーンＩＤに対応する解除ＭＣＩＤのうち少なくとも一つを含むことを特徴とする請求項６に記載の方法。
【請求項９】
セルラーネットワークで放送サービスを提供するための方法であって、
ＭＢＳのための経路設定後に、放送サーバが、制御局にセッション変更要請メッセージを伝送する過程と、
前記制御局が、前記セッション変更要請メッセージに応じて該当放送チャンネルのパラメーター情報を変更する過程と、
前記制御局が、前記放送サーバにセッション変更要請メッセージに対する応答メッセージを伝送する過程と、
前記制御局が、該当放送チャンネルをサービスする該当ＭＢＳゾーンに属する少なくとも一つの基地局に経路変更要請メッセージを伝送する過程と、
前記少なくとも一つの基地局が、前記経路変更要請メッセージに応じて該当放送チャンネルのパラメーター情報を変更する、経路変更応答メッセージを前記制御局に伝送する過程と、を含み、
前記放送サーバと制御局の間のデータ経路変更はコンテンツ単位で行われ、前記制御局と基地局の間のデータ経路変更は放送ゾーン単位で行われることを特徴とする方法。
【請求項１０】
セルラーネットワークにおける放送サービスのための制御局の動作方法であって、
ＭＢＳデータの伝達前、放送サーバからのセッション開始要請メッセージを受信する過程と、
前記セッション開始要請メッセージの情報を基盤に前記放送サーバと前記制御局間のマルチキャストコネクションを設定する過程と、
前記セッション開始要請メッセージに対する応答としてセッション開始応答メッセージを前記放送サーバに伝送する過程と、
前記マルチキャストコネクション設定後、ＭＢＳデータ経路設定及び無線資源予約を要請するために、該当放送ゾーンに属する少なくとも一つの基地局に経路登録要請メッセージを伝送する過程と、
前記放送ゾーンに属する少なくとも一つの基地局から前記制御局と前記基地局間のデータ経路設定を知らせる経路登録応答メッセージを受信する過程と、を含み、
前記放送サーバと制御局間のデータ経路設定はコンテンツ単位で行われ、前記制御局と基地局間のデータ経路設定は放送ゾーン単位で行われることを特徴とする方法。
【請求項１１】
前記放送サーバと前記制御局間のマルチキャストコネクション及び前記制御局と前記基地局間のマルチキャストコネクションは、ＩＧＭＰジョインを通じて行われることを特徴とする請求項１０に記載の方法。
【請求項１２】
前記セッション開始要請メッセージは、 ＭＢＳゾーンＩＤ、Ｒ３放送チャンネルＩＰアドレス、（Ｒ３放送チャンネルＩＰ ｖｓ ＭＢＳゾーンＩＤ ＆ ＭＣＩＤ）マッピング情報、ＭＢＳゾーンＩＤに対応するＭＣＩＤ、放送サービス開始及び終了時間、ＭＢＳゾーン別エアスケジューリング情報、ＭＣＩＤ別エアスケジューリング情報、ＭＢＳ ＭＡＰメッセージに対するエアスケジューリング情報、ＡＳＮ＿ＧＷがＩＧＭＰ Ｊｏｉｎ＆Ｌｅａｖｅするネットワークエレメントアドレス、伝送タイプ、ソースＩＤ、目的先ＩＤのうち少なくとも一つを含むことを特徴とする請求項１０に記載の方法。
【請求項１３】
前記経路登録要請メッセージは、ＭＢＳゾーンＩＤ、Ｒ６マルチキャストＩＰアドレス、該当ＭＢＳゾーンＩＤに対応するＭＣＩＤ、ＧＲＥ（Ｇｅｎｅｒｉｃ Ｒｏｕｔｉｎｇ Ｅｎｃａｐｓｕｌａｔｉｏｎ）キー、放送サービス開始及び終了時間（ＴｏＤ）、ＭＢＳゾーン別エアスケジューリング情報、ＭＣＩＤ別エアスケジューリング情報、ＭＢＳ ＭＡＰメッセージに対すべきエアスケジューリング情報、基地局がＩＧＭＰ Ｊｏｉｎ＆Ｌｅａｖｅすべきネットワークエレメントアドレス、伝送タイプ、ソースＩＤ、目的先ＩＤのうち少なくとも一つを含むことを特徴とする請求項１０に記載の方法。
【請求項１４】
前記ＭＢＳデータ伝達が完了すれば、前記放送サーバからのセッション解除要請メッセージを受信する過程と、
前記セッション解除要請メッセージの情報を基盤に前記放送サーバと前記制御局間のマルチキャストコネクションを解除する過程と、
前記セッション解除要請メッセージに対する応答としてセッション解除応答メッセージを前記放送サーバに伝送する過程と、
前記マルチキャストコネクション解除後、ＭＢＳデータ経路解除及び無線資源解除を要請するために、該当放送ゾーンに属する少なくとも一つの基地局に経路解除要請メッセージを伝送する過程と、
前記放送ゾーンに属する少なくとも一つの基地局から前記制御局と前記基地局間のデータ経路解除を知らせる経路解除応答メッセージを受信する過程と、をさらに含むことを特徴とする請求項１０に記載の方法。
【請求項１５】
ＭＢＳのための経路設定後、前記放送サーバからのセッション変更要請メッセージを受信する過程と、
前記セッション変更要請メッセージの情報を基盤に該当放送チャンネルのパラメーター情報を変更する過程と、
前記セッション変更要請メッセージに対する応答としてセッション変更応答メッセージを前記放送サーバに伝送する過程と、
前記パラメーター情報変更後、該当放送チャンネルをサービスする該当放送ゾーンに属する少なくとも一つの基地局に経路変更要請メッセージを伝送する過程と、
前記放送ゾーンに属する少なくとも一つの基地局から該当放送チャンネルに対するパラメーター変更を知らせる経路変更応答メッセージを受信する過程と、をさらに含むことを特徴とする請求項１０に記載の方法。
【請求項１６】
ＭＢＳデータ伝達が始まれば、前記放送サーバから放送パケットを受信する過程と、
前記受信される放送パケットを無線区間のバーストサイズに合わせてパケット化（ｐａｃｋｅｔｉｚａｔｉｏｎ）してＭＡＣ（Ｍｅｄｉａ Ａｃｃｅｓｓ Ｃｏｎｔｒｏｌ）ＳＤＵ（Ｓｅｒｖｉｃｅ Ｄａｔａ Ｕｎｉｔ）を生成する過程と、
前記ＭＡＣ ＳＤＵに放送絶対時間をタイムスタンピングし、前記ＭＡＣ ＳＤＵにＧＲＥヘッダを付けてトンネリングパケットを生成する過程と、
前記トンネリングパケットにＲ６マルチキャストＩＰヘッダを付けてＩＰパケットを生成し、前記ＩＰパケットを該当放送ゾーンに属する基地局にマルチキャストする過程と、をさらに含むことを特徴とする 請求項１０に記載の方法。
【請求項１７】
セルラーネットワークにおける放送サービスのための制御局装置であって、
放送サーバと通信するための第１インタフェース部と、
基地局と通信するための第２インタフェース部と、
前記放送サーバからセッション開始要請メッセージが受信される場合、前記第１インタフェース部を制御して前記放送サーバと当該制御局間のマルチキャストコネクションを設定した後、前記放送サーバにセッション開始応答メッセージを伝送し、以後前記第２インタフェース部を制御して該当放送ゾーンに属する基地局に経路登録要請メッセージを伝送し、前記基地局から制御局と基地局間のデータ経路設定を知らせる経路登録応答メッセージを受信する制御部と、を含み、
前記放送サーバと制御局間のデータ経路設定はコンテンツ単位で行われ、前記制御局と基地局間のデータ経路設定は放送ゾーン単位で行なわれることを特徴とする装置。
【請求項１８】
前記放送サーバと前記制御局間のデータ経路及び前記制御局と前記基地局間のデータ経路はＩＧＭＰジョインを通じて行われることを特徴とする請求項１７に記載の装置。
【請求項１９】
前記セッション開始要請メッセージは、ＭＢＳゾーンＩＤ、Ｒ３放送チャンネルＩＰアドレス、（Ｒ３放送チャンネルＩＰアドレス ｖｓ ＭＢＳゾーンＩＤ ＆ ＭＣＩＤ）マッピング情報、ＭＢＳゾーンＩＤに対応するＭＣＩＤ、放送サービス開始及び終了時間、ＭＢＳゾーン別エアスケジューリング情報、ＭＣＩＤ別エアスケジューリング情報、ＭＢＳ ＭＡＰメッセージに対するエアスケジューリング情報、ＡＳＮ＿ＧＷがＩＧＭＰ Ｊｏｉｎ＆Ｌｅａｖｅすべきネットワークエレメントアドレス、伝送タイプ、ソースＩＤ、目的先ＩＤのうち少なくとも一つを含むことを特徴とする請求項１７に記載の装置。
【請求項２０】
前記経路登録要請メッセージは、ＭＢＳゾーンＩＤ、Ｒ６マルチキャストＩＰアドレス、該当ＭＢＳゾーンＩＤに対応するＭＣＩＤ、ＧＲＥ（Ｇｅｎｅｒｉｃ Ｒｏｕｔｉｎｇ Ｅｎｃａｐｓｕｌａｔｉｏｎ）キー、放送サービス開始及び終了時間（ＴｏＤ）、ＭＢＳゾーン別エアスケジューリング情報、ＭＣＩＤ別エアスケジューリング情報、ＭＢＳ ＭＡＰメッセージに対するエアスケジューリング情報、基地局がＩＧＭＰＪｏｉｎ＆Ｌｅａｖｅすべきネットワークエレメントアドレス、伝送タイプ、ソースＩＤ、目的先ＩＤのうち少なくとも一つを含むことを特徴とする請求項１７に記載の装置。
【請求項２１】
前記制御部は、前記放送サーバからセッション解除要請メッセージが受信される場合、前記第１インタフェース部を制御して、前記放送サーバと前記制御局間のマルチキャストコネクションを解除した後、前記放送サーバにセッション解除応答メッセージを伝送し、以後前記第２インタフェース部を制御して該当放送ゾーンに属する基地局に経路解除要請メッセージを伝送し、前記基地局から制御局と基地局間のデータ経路解除を知らせる経路解除応答メッセージを受信することを特徴とする請求項１７に記載の装置。
【請求項２２】
前記セッション解除要請メッセージは、ＭＢＳゾーンＩＤ及び該当ＭＢＳゾーンＩＤに対応する解除ＭＣＩＤのうち少なくとも一つを含み、
前記経路解除要請メッセージは、基地局識別子、ＭＢＳゾーンＩＤ、ＧＲＥキー、該当ＭＢＳゾーンＩＤに対応する解除ＭＣＩＤのうち少なくとも一つを含むことを特徴とする請求項２１に記載の装置。
【請求項２３】
前記制御部は、前記放送サーバからセッション変更要請メッセージが受信される場合、該当放送チャンネルのパラメーター情報を変更し、前記第１インタフェース部を制御して前記放送サーバにセッション変更応答メッセージを伝送し、以後前記第２インタフェース部を制御して該当放送チャンネルをサービスする該当放送ゾーンに属する基地局に経路変更要請メッセージを伝送し、前記基地局から該当放送チャンネルのパラメーター変更を知らせる経路変更応答メッセージを受信することを特徴とする請求項１７に記載の装置。
【請求項２４】
前記第１インタフェース部からの受信放送パケットをＲ３放送チャンネルＩＰアドレスを利用して該当放送ゾーンの該当ＭＣＩＤキューに格納するバッファと、
前記キューに格納された放送パケットを無線区間のバーストサイズに合わせてパケット化（ｐａｃｋｅｔｉｚａｔｉｏｎ）してＭＡＣ（Ｍｅｄｉａ Ａｃｃｅｓｓ Ｃｏｎｔｒｏｌ）ＳＤＵ（Ｓｅｒｖｉｃｅ Ｄａｔａ Ｕｎｉｔ）を生成するパケット同期化部と、
前記ＭＡＣ ＳＤＵに放送絶対時間をタイムスタンピングし、前記ＭＡＣ ＳＤＵにＧＲＥヘッダを付けてトンネリングパケットを生成するトンネリングパケット生成部と、をさらに含み、
前記第２インタフェース部は、前記トンネリングパケットにＲ６マルチキャストＩＰヘッダを付けてＩＰパケットを生成し、前記ＩＰパケットを該当放送ゾーンに属する基地局にマルチキャストすることを特徴とする請求項１７に記載の装置。
【発明の詳細な説明】
【技術分野】
【０００１】
本発明は、セルラーネットワークでマルチキャスト及びブロードキャストサービスを提供するための装置及び方法に関し、特に該当ネットワークエンティティ間に放送サービスのためのデータ経路（ｄａｔａ  ｐａｔｈ）を設定（ｃｒｅａｔｉｏｎ）、解除（ｒｅｌｅａｓｅ）及び変更（ｍｏｄｉｆｉｃａｔｉｏｎ）するための装置及び方法に関する。
【背景技術】
【０００２】
一般に、通信システムは音声サービスを主として発展しており、次第に音声だけでなくデータサービス及び多様なマルチメディアサービスも可能な通信システムへと発展している。しかし、音声を主とした通信システムは、比較的に狭い伝送帯域幅や高い使用料から、急増するユーザのサービス要求を満たすことができない。さらに、通信産業の発達とインターネットサービスに対するユーザの要求増加によって、インターネットサービスを効率的に提供できる通信システムの必要性が増大している。これによって、広帯域を有し、効率的にインターネットサービスを提供するための広帯域無線接続システムが導入された。
【０００３】
この広帯域無線接続システムの無線接続方式は、国際標準化機構の一つの電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）のＩＥＥＥ８０２．１６標準化グループで標準化されている。広帯域無線接続システムは、従来の音声サービスのための無線技術に比べて帯域幅が広く、短い時間に多くのデータを伝送することができ、すべてのユーザがチャンネル（または資源）を共有してチャンネルを効率的に使用することが可能である。また、サービス品質（ＱｏＳ：Ｑｕａｌｉｔｙ  ｏｆ  Ｓｅｒｖｉｃｅ）が保障されて、ユーザはサービスの特性によって互いに異なる品質のサービス提供を受けることができる。
【０００４】
前記広帯域無線接続システムの主要サービスとしては、インターネット、ＶｏＩＰ（Ｖｏｉｃｅ  ｏｖｅｒ  ＩＰ）、非リアルタイムストリーミングサービスなどがある。また、近来、実時間放送サービスであるＭＢＳ（Ｍｕｌｔｉｃａｓｔ  Ｂｒｏａｄｃａｓｔ  Ｓｅｒｖｉｃｅ）が新しいサービスとして提案されている。このＭＢＳは、マクロダイバーシティ技法を活用した高い伝送率によって、高画質ビデオ及び高音質のオーディオなど様々なチャンネルを同時に伝送することができる。ここで、マクロダイバーシティ技法は、ＭＢＳゾーン（ｚｏｎｅ）毎に同一の資源及び同一の時刻に対して同一のデータを伝送することを意味する。
【０００５】
現在、放送サービスのための多様な基準（または規格）が設けられているが、実際に放送コンテンツを伝達するためのデータ経路設定に対しては、具体的な方案が定義されていない。放送コンテンツ伝達のためには、放送開始前に予めコアサービス網（ＣＳＮ：Ｃｏｒｅ  Ｓｅｒｖｉｃｅ  Ｎｅｔｗｏｒｋ）に位置する該当ネットワークエンティティとアクセスサービス綱（ＡＳＮ：Ａｃｃｅｓｓ  Ｓｅｒｖｉｃｅ  Ｎｅｔｗｏｒｋ）に位置するネットワークエンティティとの間にデータ経路（ｄａｔａ  ｐａｔｈ）が設定される必要がある。従って、このようなデータ経路の設定、解除及び変更に関する具体的な方案が設けられねばならない。
【先行技術文献】
【特許文献】
【０００６】
【特許文献１】韓国特許公開公報第２００８−３８８０５号明細書
【発明の概要】
【発明が解決しようとする課題】
【０００７】
従って、本発明の目的は、放送サービスを提供するセルラーネットワークで放送サービスのためのデータ経路（ｄａｔａ  ｐａｔｈ）を設定、解除及び変更するための装置及び方法を提供することにある。
【０００８】
本発明の他の目的は、放送サービスを提供するセルラーネットワークで放送開始前にシグナリングを通じて放送サービスのためのデータ経路を設定するための装置及び方法を提供することにある。
【０００９】
本発明のまた他の目的は、放送サービスを提供するセルラーネットワークでＩＧＭＰを利用してＭＣＢＣＳサーバーとＡＳＮ＿ＧＷの間に放送サービスのためのデータ経路を設定するための装置及び方法を提供することにある。
【００１０】
本発明のまた他の目的は、放送サービスを提供するセルラーネットワークでＩＧＭＰを利用してＡＳＮ＿ＧＷと基地局の間に放送サービスのためのデータ経路を設定するための装置及び方法を提供することにある。
【００１１】
本発明のまた他の目的は、放送サービスを提供するセルラーネットワークで放送ゾーン（ＭＢＳゾーン）単位でデータ経路を設定、解除及び変更するための装置及び方法を提供することにある。
【課題を解決するための手段】
【００１２】
上記目的を達成すべく、本発明の一見地によれば、セルラーネットワークで放送サービスを提供するための方法であって、ＭＢＳデータの伝達前に、放送サーバが、マルチキャストコネクションセットアップを要請するために制御局にセッション開始要請メッセージを伝送する過程と、前記制御局が、前記セッション開始要請メッセージの情報を基盤に前記放送サーバと前記制御局間のマルチキャストコネクションを設定する過程と、前記マルチキャストコネクションを設定した後、前記制御局が、前記セッション開始要請メッセージに対する応答メッセージを前記放送サーバに伝送する過程と、前記制御局が、ＭＢＳデータ経路設定及び無線資源予約を要請するため、該当放送ゾーンに属する少なくとも一つの基地局に経路登録要請メッセージを伝送する過程と、前記少なくとも一つの基地局が、前記経路登録要請メッセージの情報を基盤に前記制御局と前記基地局間のマルチキャストコネクションを設定する過程と、前記マルチキャストコネクションを設定した後、前記少なくとも一つの基地局が、前記経路登録要請メッセージに対する応答として経路登録応答メッセージを前記制御局に伝送する過程と、を含むことを特徴とする。
【００１３】
本発明の他の見地によれば、セルラーネットワークで放送サービスを提供するための方法であって、ＭＢＳデータ伝達が完了すれば、放送サーバが、マルチキャスト解除を要請するために、制御局にセッション解除要請メッセージを伝送する過程と、前記制御局が、前記セッション解除要請メッセージの情報を基盤に前記放送サーバと前記制御局間のマルチキャストコネクションを解除する過程と、前記マルチキャストコネクションを解除した後、前記制御局が、前記セッション解除要請メッセージに対する応答としてセッション解除応答メッセージを前記放送サーバに伝送する過程と、前記制御局が、ＭＢＳデータ経路解除及び無線資源解除を要請するために、該当放送ゾーンに属する少なくとも一つの基地局に経路解除要請メッセージを伝送する過程と、前記少なくとも一つの基地局が、前記経路解除要請メッセージの情報を基盤に前記制御局と前記基地局間のマルチキャストコネクションを解除する過程と、前記マルチキャストコネクションを解除した後、前記少なくとも一つの基地局が、前記経路解除要請メッセージに対する応答として経路解除応答メッセージを前記制御局に伝送する過程と、を含むことを特徴とする。
【００１４】
本発明のまた他の見地によれば、セルラーネットワークで放送サービスを提供するための方法であって、ＭＢＳのための経路設定後に、放送サーバが、制御局にセッション変更要請メッセージを伝送する過程と、前記制御局が、前記セッション変更要請メッセージに応じて該当放送チャンネルのパラメーター情報を変更する過程と、前記制御局が、前記放送サーバにセッション変更要請メッセージに対する応答メッセージを伝送する過程と、前記制御局が、該当放送チャンネルをサービスする該当ＭＢＳゾーンに属する少なくとも一つの基地局に経路変更要請メッセージを伝送する過程と、前記少なくとも一つの基地局が、前記経路変更要請メッセージに応じて該当放送チャンネルのパラメーター情報を変更する、経路変更応答メッセージを前記制御局に伝送する過程と、を含むことを特徴とする。
【００１５】
本発明のまた他の見地によれば、セルラーネットワークにおける放送サービスのための制御局の動作方法であって、ＭＢＳデータの伝達前、放送サーバからのセッション開始要請メッセージを受信する過程と、前記セッション開始要請メッセージの情報を基盤に前記放送サーバと前記制御局間のマルチキャストコネクションを設定する過程と、前記セッション開始要請メッセージに対する応答としてセッション開始応答メッセージを前記放送サーバに伝送する過程と、前記マルチキャストコネクション設定後、ＭＢＳデータ経路設定及び無線資源予約を要請するために、該当放送ゾーンに属する少なくとも一つの基地局に経路登録要請メッセージを伝送する過程と、前記放送ゾーンに属する少なくとも一つの基地局から前記制御局と前記基地局間のデータ経路設定を知らせる経路登録応答メッセージを受信する過程と、を含むことを特徴とする。
【００１６】
本発明のまた他の見地によれば、セルラーネットワークにおける放送サービスのための制御局装置であって、放送サーバと通信するための第１インタフェース部と、基地局と通信するための第２インタフェース部と、前記放送サーバからセッション開始要請メッセージが受信される場合、前記第１インタフェース部を制御して前記放送サーバと前記制御局間のマルチキャストコネクションを設定した後、前記放送サーバにセッション開始応答メッセージを伝送し、以後前記第２インタフェース部を制御して該当放送ゾーンに属する基地局に経路登録要請メッセージを伝送し、前記基地局から制御局と基地局間のデータ経路設定を知らせる経路登録応答メッセージを受信する制御部と、を含むことを特徴とする。
【発明の効果】
【００１７】
本発明によれば、セルラーネットワークで主要サービスとされている無線放送サービスに対してネットワークエンティティ（ＮＥ）間の経路設定、解除及び変更を効率的に行なうことができる。また、コンテンツ伝達の前にＲ３及びＲ６インタフェースに対するデータ経路を予め確保するので、放送が始まると遅延されることなくすぐにコンテンツを伝達することができる。尚、本発明によれば、データ経路設定をＭＢＳゾーン（放送ゾーン）単位で行なうので、シグナリングオーバーヘッドを著しく減らすことができる。
【図面の簡単な説明】
【００１８】
【図１】本発明の実施の形態によるネットワーク構造を示す図である。
【図２】本発明の実施の形態による放送サービスのためのデータ経路を設定するための手順を示す図である。
【図３】本発明の実施の形態による放送サービスのためのデータ経路を解除するための手順を示す図である。
【図４】本発明の実施の形態による放送サービスのためのデータ経路を変更するための手順を示す図である。
【図５】発明の実施の形態によるＡＳＮ＿ＧＷの動作手順を示す図である。
【図６】発明の実施の形態によるＡＳＮ＿ＧＷの構成を示す図である。
【図７】図２において、Ｒ６応答メッセージの結果に係わらずセッション開始応答メッセージをＭＣＭＣＳサーバに伝達する場合のデータ経路設定手順を示す図である。
【図８】図３において、Ｒ６応答メッセージの結果に係わらずセッション解除応答メッセージをＭＣＭＣＳサーバに伝達する場合のデータ経路解除手順を示す図である。
【図９】図４において、Ｒ６応答メッセージの結果に係わらずセッション変更応答メッセージをＭＣＭＣＳサーバに伝達する場合のデータ経路変更手順を示す図である。
【発明を実施するための形態】
【００１９】
以下、添付した図面を参照して、本発明の動作原理について詳細に説明する。下記で本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザ、運用者の意図又は慣例などによって変わりうる。したがって、その定義は、本明細書全般にわたる内容に基づいて行わなければならない。
【００２０】
以下、放送サービスを提供するセルラーネットワークにおけるネットワークエンティティ間に放送サービスのためのデータ経路（ｄａｔａ  ｐａｔｈ）を設定（ｃｒｅａｔｉｏｎ）、解除（ｒｅｌｅａｓｅ）及び変更（ｍｏｄｉｆｉｃａｔｉｏｎ）するための方案について説明する。
【００２１】
ここで、上記放送サービスは、標準グループ及び運用者の意図によって、ＭＣＢＣＳ（ＭｕｌｔｉＣａｓｔ  ａｎｄ  ＢｒｏａｄＣａｓｔ  Ｓｅｒｖｉｃｅ）、ＭＢＳ（Ｍｕｌｔｉｃａｓｔ  ａｎｄ  Ｂｒｏａｄｃａｓｔ  Ｓｅｒｖｉｃｅ）、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）、ＢＣＭＣＳ（ＢｒｏａｄＣａｓｔ／ＭｕｌｔｉＣａｓｔ  Ｓｅｒｖｉｃｅ）、ＤＭＢ、ＭｅｄｉａＦＬＯ、などと呼ばれることができる。
【００２２】
以下の説明で、ネットワークエンティティ（ＮＥ：Ｎｅｔｗｏｒｋ  ＥｎｔｉｔｙまたはＮｅｔｗｏｒｋ  Ｅｌｅｍｅｎｔ）の名称は、該当する機能によって定義されたものであり、標準化グループ及び運用者の意図によって変わりうる。例えば、基地局は、ＡＰ（Ａｃｃｅｓｓ  Ｐｏｉｎｔ）、ＲＡＳ（Ｒａｄｉｏ  Ａｃｃｅｓｓ  Ｓｔａｔｉｏｎ）、Ｎｏｄｅ−ＢまたはＢＳ（Ｂａｓｅ  Ｓｔａｔｉｏｎ）と呼ばれることができる。また、基地局制御機は、ＲＮＣ（Ｒａｄｉｏ  Ｎｅｔｗｏｒｋ  Ｃｏｎｔｒｏｌｌｅｒ）、ＢＳＣ（Ｂａｓｅ  Ｓｔａｔｉｏｎ  Ｃｏｎｔｒｏｌｌｅｒ）、ＡＣＲ（Ａｃｃｅｓｓ  Ｃｏｎｔｒｏｌ  Ｒｏｕｔｅｒ）またはＡＳＮ−ＧＷ（Ａｃｃｅｓｓ  Ｓｅｒｖｉｃｅ  Ｎｅｔｗｏｒｋ−ＧａｔｅＷａｙ：アクセスサービスネットワークゲートウェイ）と呼ばれることができる。ここで、上記ＡＳＮ−ＧＷは、基地局制御機の機能だけでなくルータの機能をも果たすことができる。
【００２３】
また、以下ＯＦＤＭ／ＯＦＤＭＡ基盤の広帯域無線通信システムを例に取り上げて説明するが、本発明は、放送サービスを提供する他の無線通信システムにも容易に適用されることができる。
【００２４】
図１は、本発明の実施の形態によるネットワーク構造を図示している。
【００２５】
図示されたように、本実施の形態のセルラーネットワークは、コンテンツサーバ１００、放送サーバとしてのＭＣＢＣＳサーバ１０２、ＡＳＮ＿ＧＷ１０４、網管理機（ＷＳＭ：ＷｉＢｒｏ  Ｓｙｓｔｅｍ  Ｍａｎａｇｅｒ）１０６及び基地局１０８を含む。ここで、ＡＳＮ＿ＧＷ１０４と基地局１０８は、アクセスサービス綱（ＡＳＮ：Ａｃｃｅｓｓ  Ｓｅｒｖｉｃｅ  Ｎｅｔｗｏｒｋ）に分類されることができる。
【００２６】
図１を参照すると、コンテンツサーバ１００は、放送コンテンツを製作及び格納し、放送サービスの前にアプリケーション階層プロトコル（例：ＨＴＴＰなど）を利用してＭＣＢＣＳサーバ１０２にコンテンツを登録する。このとき、コンテンツサーバ１００は、コンテンツタイプ、サービス伝送率（ｂｉｔ  ｒａｔｅ）、サービス時間、サービス地域などをＭＣＢＣＳサーバ１０２に伝送することができる。
【００２７】
ＭＣＢＣＳサーバ１０２は、外部コンテンツサーバ１００及びＡＡＡサーバ（図示せず）とのインタフェースを有し、実際放送トラフィック、ＭＢＳゾーン管理情報などをＡＳＮに伝達し、サービスガイド（放送スケジュール、マッピングテーブルなど）及びコンテンツ別サービス権限キー（ｋｅｙ）などを端末に伝達する。このとき、ＭＣＢＣＳサーバ１０２と当該端末は、アプリケーション階層プロトコル（例：ＨＴＴＰ）を利用して通信する。コンテンツサーバ１００からアプリケーション階層プロトコル（例：ＨＴＴＰ）を介してコンテンツ登録要請が受信される場合、ＭＣＢＣＳサーバ１０２は、各コンテンツに対して放送チャンネルマルチキャスト或いはユニキャストＩＰアドレスとコンテンツＩＤを割り当てる。また、ＭＣＢＣＳサーバ１０２は、各コンテンツごとにコンテンツＩＤ、マルチキャストＩＰアドレス、サービス時間（伝達日、伝達時間）、伝送率（ｄａｔａ  ｒａｔｅ）、ＭＣＩＤ（Ｍｕｌｔｉｃａｓｔ  Ｃｏｎｎｅｃｔｉｏｎ  ＩＤｅｎｔｉｆｉｅｒ）、ＭＢＳゾーンＩＤ、伝送ゾーンＩＤ（Ｔｒａｎｓｍｉｓｓｉｏｎ  Ｚｏｎｅ  ＩＤ）などをマッピングしてＤＢ（ＤａｔａＢａｓｅ）に格納する。このようなＤＢは、各種シグナリングとＩＰ（Ｉｎｔｅｒｎｅｔ  Ｐｒｏｔｏｃｏｌ）パケットをＡＳＮ＿ＧＷ１０４に伝達するのに使用される。また、ＭＣＢＣＳサーバ１０２は、コンテンツサーバ１００からの放送コンテンツを放送編成表によってＡＳＮに伝達する。そして、ＭＣＢＣＳサーバ１０２は、放送サービスに対するエアスケジューリング情報（パーミュテーション、ＭＣＳ（Ｍｏｄｕｌａｔｉｏｎ  ａｎｄ  Ｃｏｄｉｎｇ  Ｓｃｈｅｍｅ）レベル、ＭＩＭＯ（Ｍｕｌｔｉｐｌｅ  Ｉｎｐｕｔ  Ｍｕｌｔｉｐｌｅ  Ｏｕｔｐｕｔ）可否、伝送率、伝送周期、圧縮可否、放送開始／終了時間など）をＡＳＮに伝達することができる。他の例として、上記エアスケジューリング情報は、網管理機（ＷＳＭまたはＥＭＳまたはＯＭＣ）１０６からＡＳＮに伝達されることもできる。
【００２８】
ＡＳＮ＿ＧＷ１０４は、コア網からのトラフィックを基地局１０８に伝送し、基地局１０８からのトラフィックをコア網に伝送する。ＡＳＮ＿ＧＷ１０４は、各端末に対してサービスフロー（ＳＦ：Ｓｅｒｖｉｃｅ  Ｆｌｏｗ）、連結（ｃｏｎｎｅｃｔｉｏｎ）及び移動性（ｍｏｂｉｌｉｔｙ）を管理する。ここで、ＡＳＮ＿ＧＷ１０４は、アップリンク（ｕｐｌｉｎｋ）及びダウンリンク（ｄｏｗｎｌｉｎｋ）連結別に固有のサービスフロー（ＳＦ：Ｓｅｒｖｉｃｅ  Ｆｌｏｗ）を生成することができる。また、ＡＳＮ＿ＧＷ１０４は、ＡＡＡサーバなどＣＳＮとのインタフェースを備える。ＭＢＳ制御機（ＭＢＳ  ｃｏｎｔｒｏｌｌｅｒ）は、アクセスサービス綱（例：ＡＳＮ＿ＧＷ内ブロック）に構成され、ＭＣＢＣＳサーバ１０２からの放送トラフィックに対するデータ／時間同期化（Ｄａｔａ／Ｔｉｍｅ  Ｓｙｎｃｈｒｏｎｉｚａｔｉｏｎ）機能を遂行し、当該データ／時間同期化された放送パケットを同一ＭＢＳゾーン内基地局にマルチキャストする。ＭＢＳ制御機の機能は、シグナリングを担当するＭＢＳプロキシ（ｐｒｏｘｙ）と、同期化機能を含む放送データトラフィック処理機能を担当するＭＢＳ  ＤＰＦ（ｄａｔａ  ｐａｔｈ  ｆｕｎｃｔｉｏｎ）機能と、の二つに分類されることができる。
【００２９】
基地局１０８は、端末との無線インタフェースを備え、ＡＳＮ＿ＧＷ１０４内のＭＢＳ制御機からの放送コンテンツを、予め定められた時間に、予め定められた資源を通じて伝送する。ここで、放送サービスに対するマクロダイバーシティを支援する場合、同一ＭＢＳゾーンに属した基地局は、同一コンテンツを同一時刻に同一資源を通じてブロードキャストする。
【００３０】
網管理機１０６は、ＡＳＮのネットワークエンティティに対する維持及び補修を担当し、ＡＳＮ＿ＧＷ１０４及び基地局１０８の初期化時に必要なＰＬＤ（Ｐｒｏｇｒａｍ  Ｌｏａｄｉｎｇ  Ｄａｔａ）を、該当するネットワークエンティティに伝達する。図示されていないが、ＭＣＢＣＳサーバ１０２を管理する網管理機（ＭＣＢＣＳ  ＯＭＣ）も存在しうる。ＡＳＮ＿ＧＷ１０４と基地局１０８を管理する網管理機は、綱構成によって、ＡＮＳ＿ＧＷ  ＯＭＣ（ｏｐｅｒａｔｉｏｎ  ａｎｄ  ｍａｉｎｔｅｎａｎｃｅ  ｃｅｎｔｅｒ）、ＢＳ  ＯＭＣ、及びＡＳＮ＿ＧＷ  ＯＭＣとＢＳ  ＯＭＣの両方を管理する上位ＯＭＣのように三つに分けることができ、ＡＳＮ＿ＧＷ  ＯＭＣと上位ＯＭＣが一つの統合ＯＭＣとして存在することもできる。一般に、統合ＯＭＣはＮＡＰ（Ｎｅｔｗｏｒｋ  Ａｃｃｅｓｓ  Ｐｒｏｖｉｄｅｒ）網当たり或いはＡＳＮ当たり一つ存在すると仮定する。ＭＣＢＣＳサーバ１０２は、設定（ｃｏｎｆｉｇｕｒａｔｉｏｎ）情報を上記統合ＯＭＣを介してＡＳＮに伝達することができる。このとき、ＭＣＢＣＳ  ＯＭＣとＡＳＮとの間のインタフェースは存在しないと仮定する。
【００３１】
端末（図示せず）は、放送サービスを消費する主体である。かかる端末は、アイドルモードでも放送トラフィックを受信、チャンネル変更及び削除するために、アプリケーション階層を介してサービスガイド（放送スケジュール、マッピングテーブルを含む）をＭＣＢＣＳサーバ１０２から受信して保存する。ＭＣＢＣＳサーバ１０２は、端末がサービスガイドを要請した場合に、認証を通じて放送サービス加入者であるかを確認し、放送サービス加入者である場合、サービスガイドを上記端末に伝送する。このとき、サービスガイドは、放送スケジュール（時間、伝送率など）、放送チャンネルＩＰアドレス、ＭＣＩＤ、ＭＢＳゾーンＩＤ、コンテンツＩＤ、暗号キー（ｅｎｃｒｙｐｔｉｏｎ  ｋｅｙ）などを含むことができる。端末は、ブロードキャスティングメッセージ（例：ＤＣＤなど）を通じて現在自分の属するＭＢＳゾーンを識別することができる。
【００３２】
一方、放送サービスは大きくブロードキャストサービスとマルチキャストサービスに分類できるが、その分類基準は端末のＩＧＭＰジョイン（ｊｏｉｎ）可否である。端末がＩＧＭＰジョインをする場合、マルチキャストサービスに分類され、そうでない場合はブロードキャストサービスに分類できる。
【００３３】
また、端末がＩＧＭＰジョインをする場合を、動的マルチキャスト（ｄｙｎａｍｉｃ  ｍｕｌｔｉｃａｓｔ）方式と固定マルチキャスト（ｓｔａｔｉｃ  ｍｕｌｔｉｃａｓｔ）方式に分けることができる。ここで、動的マルチキャスト方式は、放送チャンネルを受信するユーザ数によって、ブロードキャストとユニキャストをスイッチングする方式を意味する。そして、固定マルチキャスト方式は、前述のようなスイッチングはしないが、放送チャンネルを受信するユーザが一人もいなければブロードキャストをオフ（ｏｆｆ）する方式を意味する。ここで、ブロードキャストは、指定された時刻に指定された放送チャンネルを放送することを意味する。
【００３４】
一方、放送サービスは、固定ＭＢＳ伝送（ｓｔａｔｉｃ  ＭＢＳ  ｔｒａｎｓｍｉｓｓｉｏｎ）方式と動的ＭＢＳ伝送（ｄｙｎａｍｉｃ  ＭＢＳ  ｔｒａｎｓｍｉｓｓｉｏｎ）方式に分類できる。この分類基準は、端末のＩＧＭＰジョイン可否と放送が始まってから放送が終わるまで無線区間（Ｒ１インタフェース）上での資源割り当て変化の有無である。すなわち、端末のＩＧＭＰジョイン可否に関係なく資源割り当てが変更されなければ、固定ＭＢＳ伝送方式に分類される。一方、端末のＩＧＭＰジョイン可否に依存するか資源割り当てが変更されれば、動的ＭＢＳ伝送方式に分類できる。ここで、一つのＭＢＳゾーンに対して時間帯によって資源割り当て状態が変更されうるが、即ち放送が終わって新しい放送構成で放送が始まる時に資源割り当て状態が変更されうるが、このような場合は該当されないと仮定する。
【００３５】
図示されていないが、前述のコアサービス綱（ＣＳＮ）には、政策（ｐｏｌｉｃy）サーバ、ＡＡＡ（Ａｕｔｈｅｎｔｉｃａｔｉｏｎ、Ａｕｔｈｏｒｉｚａｔｉｏｎ、Ａｃｃｏｕｎｔｉｎｇ）サーバなどが存在しうる。
【００３６】
このうち、ＡＡＡサーバは、認証及び課金情報を管理し、加入者別プロファイル（ｐｒｏｆｉｌｅ）情報を管理するＳＰＲ（Ｓｕｂｓｃｒｉｐｔｉｏｎ  Ｐｒｏｆｉｌｅ  Ｒｅｐｏｓｉｔｏｒｙ）機能を含むことができる。また、ＡＡＡサーバは、加入者別放送サービス権限情報及び初期認証で導出された保安キーと有効時間（ｌｉｆｅｔｉｍｅ）を管理することができる。政策（ｐｏｌｉｃｙ）サーバは、事業者（または運営者）により決定された政策情報（例：ＱｏＳ政策情報）を該当ネットワークエンティティに提供する。ここで、政策サーバは、ＭＣＢＣＳサーバ１０２内に存在することもでき、他のネットワークエンティティ内に存在することもでき、別途のサーバとして存在することができる。
【００３７】
同一のＭＢＳゾーンに属している基地局は、ＩＧＭＰ（Ｉｎｔｅｒｎｅｔ  Ｇｒｏｕｐ  Ｍａｎａｇｅｍｅｎｔ  Ｐｒｏｔｏｃｏｌ）を介してマルチキャスティンググループに登録し、ＡＳＮ＿ＧＷはマルチキャストＩＰアドレスを通じて放送パケットを該当基地局にマルチキャストする（ｍｕｌｔｉ−ＢＳ  ＭＢＳ）。即ち、基地局は自局を管轄するＡＳＮ＿ＧＷでなく該当ＭＢＳゾーンのマスタＡＳＮ＿ＧＷ（またはアンカＡＳＮ＿ＧＷ）からＭＢＳパケットを受信することができる。ここで、基地局は自局の属するＡＳＮ＿ＧＷからＩＧＭＰトリガーリングを受信する。一方、ＭＣＢＣＳサーバ１０２もマルチキャスト方式で放送トラフィックをＡＳＮ＿ＧＷ１０４に伝送するが、ＡＳＮ＿ＧＷ１０４は、マルチキャストパケットを受信するために、ＭＣＢＣＳサーバ１０２側にＩＧＭＰメッセージを送信して特定マルチキャストアドレスに対する受信機能を活性化する。一般に、ＡＳＮ＿ＧＷ１０４とＭＣＢＣＳサーバ１０２は隣接しないので、実際には、ＩＧＭＰメッセージは、ＭＣＢＣＳサーバ１０２に直接伝達されるのではなく、ＭＣＢＣＳサーバ１０２に連結されるマルチキャストルータ（ｍｕｌｔｉｃａｓｔ  ｒｏｕｔｅｒ）に伝送される。
【００３８】
ここで、ＡＳＮ内の放送ゾーン単位の識別子はＭＢＳゾーンＩＤ（ＭＢＳ  Ｚｏｎｅ  ＩＤ）になり、サブセル（ｓｕｂｃｅｌｌ）単位の識別子はＢＳＩＤ（Ｂａｓｅ  Ｓｔａｔｉｏｎ  ＩＤｅｎｔｉｆｉｅｒ）になる。また、Ｒ６インタフェースのデータ経路は、同一の放送コンテンツだとしてもＭＢＳゾーン別に異なると仮定する。その理由は、ｍｕｌｔｉ−ＢＳ  ＭＢＳのためのタイムスタンピング（ｔｉｍｅ  ｓｔａｍｐｉｎｇ）及びパケット化（ｐａｃｋｅｔｉｚａｔｉｏｎ）がＭＢＳゾーンのマスタＡＳＮ＿ＧＷで行なわれるからである。
【００３９】
上述したように、ＭＣＢＣＳサービスのためには別途のサーバ機能が必要である。本発明では、ＮＡＰに位置するサーバ機能をＭＢＳサーバと定義し、ＮＳＰに位置するサーバ機能をＭＣＢＣＳサーバと定義することにする。ＮＡＰとＮＳＰが等しい場合、ＭＢＳサーバとＭＣＢＣＳサーバは一つのサーバに統合されることができる。ここで、ＢＳグルーピング、即ちＭＢＳゾーン単位ＢＳＩＤ割り当ては、ＮＡＰに位置するＭＢＳサーバ或いは統合ＯＭＣで行うと仮定する。
【００４０】
複数のＮＳＰが存在し、ＮＳＰ（Ｎｅｔｗｏｒｋ  Ｓｅｒｖｉｃｅ  Ｐｒｏｖｉｄｅｒ）毎にＭＣＢＣＳサーバが存在する場合、ＮＡＰ共有は次のように解決する。それぞれのＮＳＰが所望の放送地域（例：地域コード、ＭＢＳゾーンＩＤなど）と放送チャンネル構成情報（チャンネル識別子（コンテンツＩＤ或いはＩＰ階層識別子）、伝送率、サービス時間、サービス品質など）をＭＢＳサーバに知らせ、かかるＭＢＳサーバが、複数のＭＣＢＣＳサーバから受信した情報及びＮＡＰ資源を総合的に判断して、効率的にＭＣＩＤ（Ｍｕｌｔｉｃａｓｔ  ＣＩＤ）、エアスケジューリングを決定して、それぞれのＭＣＢＣＳサーバに知らせることができる。もし、それぞれのＭＣＢＣＳサーバでＭＢＳゾーンＩＤ、ＭＣＩＤ、エアスケジューリングを全て決定する場合、ＮＡＰとＮＳＰは、ＭＢＳゾーンＩＤが重ならないようにオフライン上にて協議しなければならない。もし、ＮＡＰが複数のＮＳＰのうち一つになったらＭＢＳサーバがＭＣＢＣＳサーバ内に含まれて、互いに異なるＮＳＰのＭＣＢＣＳサーバは、ＮＡＰのＭＣＢＣＳサーバと通信して前述のサーバ機能を行なうこともできる。また他の方法として、ＭＢＳサーバが別途に存在せず、ＮＡＰがＮＳＰとオフライン（ｏｆｆｌｉｎｅ）でＭＢＳゾーンＩＤ及びアンカ（ａｎｃｈｏｒ）ＡＳＮ＿ＧＷ  ＭＣＢＣＳ  ＤＰＦ及びＭＣＩＤを設定（ｃｏｎｆｉｇｕｒａｔｉｏｎ）して放送サービスを進行することもできる。
【００４１】
また、各ＭＢＳゾーンに対するＢＳグルーピング（ＢＳＩＤリスト）、即ちＭＢＳゾーン単位ＢＳＩＤ割り当ては、ＮＡＰ領域に位置した統合ＯＭＣ或いはＭＢＳサーバで行うと仮定する。そして、ＭＢＳゾーンにマッピングされるＢＳＩＤリストは、事業者により予め設定（ｃｏｎｆｉｇｕｒａｔｉｏｎ）されるものと仮定する。
【００４２】
ＣＳＮに多数のＮＳＰが存在しても、ＮＡＰがＮＳＰのうち一つになる場合、ＭＢＳサーバ機能がＮＡＰが所有するＮＳＰのＭＣＢＣＳサーバに含まれることもできる。該当ＭＣＢＣＳサーバはＭＢＳサーバ機能も含むので、ＣＳＮとＮＡＰ綱の境界線に位置するようになり、他のＮＳＰのＭＣＢＣＳサーバはＮＡＰが所有するＮＳＰのＭＣＢＣＳサーバと通信することができる。
【００４３】
セルラーネットワークで無線放送サービスを提供するためには、ＣＳＮ及びＡＳＮに位置するネットワークエンティティの間にデータ経路を効率的に設定（ｃｒｅａｔｉｏｎ）、解除（ｒｅｌｅａｓｅ）及び変更（ｍｏｄｉｆｉｃａｔｉｏｎ）できる必要がある。以下では、データ経路の設定、解除及び変更する方案について詳しく説明する。以下、本発明では、各基地局に対してＭＢＳゾーン構成が変更されない限り、該当基地局はＲ６インタフェース上でＩＧＭＰジョイン（ｊｏｉｎ）及びリーブ（ｌｅａｖｅ）を遂行しないと仮定する。即ち、ＭＢＳゾーン内の放送チャンネル構成が変更されても、ＭＢＳゾーン構成が変更されなければ（即ち、基地局に対して同一のＭＢＳゾーンＩＤが維持されれば）、該当基地局はＩＧＭＰリーブを遂行しないと仮定する。本発明において、放送サービスに対するデータ経路には、設定（ｃｏｎｆｉｇｕｒａｔｉｏｎ）を通じた固定経路設定（Ｓｔａｔｉｃ  Ｐａｔｈ  Ｅｓｔａｂｌｉｓｈｍｅｎｔ）方法と放送開始前のシグナリングを通じた動的経路設定（Ｄｙｎａｍｉｃ  Ｐａｔｈ  Ｅｓｔａｂｌｉｓｈｍｅｎｔ）方法がある。ここで、固定経路設定方法と動的経路設定方法を比較すると、次の表１の通りになる。
【００４４】
【表１】
0004897003.tif 000002
【００４５】
先ず、固定経路設定方案について説明する。
【００４６】
基本的に、固定経路設定は、ＡＳＮ＿ＧＷ及び基地局内に予め設定された情報を利用して放送サービスを提供する方式である。そして、ＭＣＢＣＳサーバとＯＭＣ（Ｏｐｅｒａｔｉｎｇ  Ｍａｎａｇｅｍｅｎｔ  Ｃｅｎｔｅｒ）の間の連動を通じて、ＡＳＮ＿ＧＷ及び基地局に放送サービスのための情報を予め設定（ｃｏｎｆｉｇｕｒａｔｉｏｎ）する。以後、該当放送時間にＭＣＢＣＳサーバからマルチキャストトラフィック（放送トラフィック）が受信される場合、ＡＳＮ＿ＧＷは、予め設定されたＧＲＥキー（ＭＢＳゾーンＩＤ、ＭＣＩＤなど）及びＲ６マルチキャストＩＰアドレスなどの情報を利用して、ＭＢＳゾーンに属する基地局に放送トラフィックをマルチキャストする。ここで、Ｒ６インタフェースは、ＡＳＮ＿ＧＷと基地局の間のインタフェースを示し、Ｒ３インタフェースは、ＭＣＢＣＳサーバとＡＳＮ＿ＧＷの間のインタフェースを示す。即ち、ＡＳＮ＿ＧＷは、Ｒ３インタフェースを介してマルチキャストトラフィックを受信するためのＩＧＭＰジョイン手順を行い、ＭＣＢＣＳサーバからのマルチキャストトラフィックをＲ６インタフェースを介して基地局にマルチキャストする。
【００４７】
そのために、ＡＳＮ＿ＧＷと基地局に設定されるべき情報は、下記の表２の通りである。
【００４８】
【表２】
0004897003.tif 000003
【００４９】
次に、シグナリングを通じた動的経路設定方案について説明する。
【００５０】
ＡＳＮ＿ＧＷは、放送開始前に、放送サービスのためのデータ経路をシグナリングを通じて設定する。
【００５１】
図２は、本発明の実施の形態による放送サービスのためのデータ経路を設定するための手順を示している。
【００５２】
図２を参照すると、放送開始前（或いはＭＢＳデータ伝達前）に、ＭＣＢＣＳサーバ１０２は、ステップ２０１で、マルチキャストコネクションセットアップを要請するために、ＡＳＮ＿ＧＷ１０４にＲ３セッション開始要請（Ｓｅｓｓｉｏｎ  Ｓｔａｒｔ  Ｒｅｑ）メッセージを伝送する。このとき、当該Ｒ３セッション開始要請メッセージは、ＭＢＳゾーンＩＤ、Ｒ３マルチキャストＩＰアドレス、（Ｒ３マルチキャストＩＰアドレス  ｖｓ  ＭＢＳゾーンＩＤ  ＆  ＭＣＩＤ）マッピング情報、ＭＢＳゾーンＩＤに対応するＭＣＩＤ、放送サービス開始及び終了時間（Ｄｅｌｉｖｅｒｙ  Ｓｔａｒｔ  Ｔｉｍｅ  ＆  Ｄｅｌｉｖｅｒｙ  Ｅｎｄ  Ｔｉｍｅ）、ＭＢＳゾーン別エアスケジューリング情報、ＭＣＩＤ別のエアスケジューリング情報、ＭＢＳ  ＭＡＰメッセージに対するエアスケジューリング情報、ＡＳＮ＿ＧＷがＩＧＭＰ  Ｊｏｉｎ＆Ｌｅａｖｅすべきネットワークエレメントアドレス、伝送タイプ（Ｄｙｎａｍｉｃ  ｍｕｌｔｉｃａｓｔ  ｏｒ  Ｓｔａｔｉｃ  ｍｕｌｔｉｃａｓｔ；Ｓｉｎｇｌｅ  ＢＳ  ＭＢＳ  ｏｒ  Ｍｕｌｔｉ  ＢＳ  ＭＢＳ  ｗｉｔｈ  ｍａｃｒｏ  ｄｉｖｅｒｓｉｔｙ  ｏｒ  ｍｕｌｔｉ‐ＢＳ  ＭＢＳ  ｗｉｔｈｏｕｔ  ｍａｃｒｏ  ｄｉｖｅｒｓｉｔｙなど）、ｓｏｕｒｃｅ  ＩＤ（ＭＣＢＣＳサーバＩＤ）、ｄｅｓｔｉｎａｔｉｏｎ  ＩＤ（ＡＳＮ＿ＧＷ  ＩＤ）のうち少なくとも一つを含むことができる。
【００５３】
このＲ３セッション開始要請メッセージが受信されると、ＡＳＮ＿ＧＷ１０４は、ステップ２０３で、当該Ｒ３セッション開始要請メッセージ内に含まれたＲ３マルチキャストＩＰアドレスを基盤にマルチキャストコネクションを設定（ｅｓｔａｂｌｉｓｈ）するために、マルチキャストルータにＩＧＭＰジョインメッセージを伝送する。もし、Ｒ３インタフェースに対するＭＣＢＣＳデータ伝送をユニキャストですれば、即ちＩＰ‐ｉｎ‐ＩＰ（ｏｕｔｅｒ  ＩＰアドレスはＡＳＮ＿ＧＷとＭＣＢＣＳサーバ通信のためのユニキャストＩＰアドレス、ｉｎｎｅｒ  ＩＰは放送用マルチキャストＩＰアドレス）で通信すれば、ＩＧＭＰジョイン及びリーブ手順が必要ないのは当然のことである。即ち、ＡＳＮ＿ＧＷ１０４は、ＭＣＢＣＳサーバ１０２に連結されたマルチキャストルータ（Ｍｕｌｔｉｃａｓｔ  ｒｏｕｔｅｒ）にＩＧＭＰジョインメッセージを伝送して、特定マルチキャストアドレスに対する受信機能を活性化する。このとき、ＩＧＭＰジョインは、上述のＲ３セッション開始要請メッセージ内に含まれたＲ３マルチキャストＩＰアドレスの個数だけ行なわれることができる。即ち、放送チャンネル別にＩＧＭＰジョインが行なわれることができる。
【００５４】
かかるＩＧＭＰジョインを行った後、ＡＳＮ＿ＧＷ１０４は、ステップ２０５で、Ｒ６データ経路設定（ｄａｔａ  ｐａｔｈ  ｅｓｔａｂｌｉｓｈｍｅｎｔ）及び基地局での無線資源（ａｉｒ  ｒｅｓｏｕｒｃｅ）予約（ｒｅｓｅｒｖａｔｉｏｎ）を要請するために、該当するＭＢＳゾーン内基地局１０８にＲ６  ＭＢＳ経路登録要請（ＭＢＳ＿ｐａｔｈ＿Ｒｅｇ＿Ｒｅｑ）メッセージを伝送する。ここで、このＭＢＳ経路登録要請メッセージは、ＭＢＳゾーンＩＤ、Ｒ６マルチキャストＩＰアドレス、該当ＭＢＳゾーンＩＤに対応するＭＣＩＤ、ＧＲＥ（Ｇｅｎｅｒｉｃ  Ｒｏｕｔｉｎｇ  Ｅｎｃａｐｓｕｌａｔｉｏｎ）キー、放送サービス開始及び終了時間（Ｄｅｌｉｖｅｒｙ  Ｓｔａｒｔ  Ｔｉｍｅ  ＆  Ｄｅｌｉｖｅｒｙ  Ｅｎｄ  Ｔｉｍｅ）、ＭＢＳゾーン別エアスケジューリング情報、ＭＣＩＤ別エアスケジューリング情報、ＭＢＳ  ＭＡＰメッセージに対するエアスケジューリング情報、基地局がＩＧＭＰ  Ｊｏｉｎ＆Ｌｅａｖｅすべきネットワークエレメントアドレス、伝送タイプ（Ｄｙｎａｍｉｃ  ｍｕｌｔｉｃａｓｔ  ｏｒ  Ｓｔａｔｉｃ  ｍｕｌｔｉｃａｓｔ；ｓｉｎｇｌｅ  ＢＳ  ＭＢＳ  ｏｒ  Ｍｕｌｔｉ  ＢＳ  ＭＢＳ  ｗｉｔｈ  ｍａｃｒｏ  ｄｉｖｅｒｓｉｔｙ  ｏｒ  Ｍｕｌｔｉ‐ＢＳ  ＭＢＳ  ｗｉｔｈｏｕｔ  ｍａｃｒｏ  ｄｉｖｅｒｓｉｔｙなど）、Ｓｏｕｒｃｅ  ＩＤ（ＡＳＮ＿ＧＷ  ＩＤ）、Ｄｅｓｔｉｎａｔｉｏｎ  ＩＤ（ＢＳＩＤ）、のうち少なくとも一つを含むことができる。
【００５５】
一方、このＭＢＳ経路登録要請メッセージを受信した基地局１０８は、ステップ２０７で、上述のＲ６  ＭＢＳ経路登録要請メッセージの情報を基盤にマルチキャストコネクションを設定するために、マルチキャストルータにＩＧＭＰジョインメッセージを伝送する。即ち、基地局１０８は、ＡＳＮ＿ＧＷ１０４に連結されたマルチキャストルータ（Ｍｕｌｔｉｃａｓｔ  ｒｏｕｔｅｒ）にＩＧＭＰジョインメッセージを伝送して、特定のマルチキャストアドレスに対する受信機能を活性化する。このとき、当該ＩＧＭＰジョインは、上述のＭＢＳ経路登録要請メッセージ内に含まれたＲ６マルチキャストＩＰアドレスの個数だけ行なわれることができる。即ち、ＭＢＳゾーン単位でＩＧＭＰジョインが行なわれることができる。
【００５６】
このように、マルチキャストコネクションをセットアップした後、基地局１０８は、ステップ２０９で、当該Ｒ６  ＭＢＳ経路登録要請メッセージに対する応答として、Ｒ６  ＭＢＳ経路登録応答（ＭＢＳ＿Ｐａｔｈ＿Ｒｅｇ＿Ｒｓｐ）メッセージをＡＳＮ＿ＧＷ１０４に伝送する。ここで、このＲ６  ＭＢＳ経路登録応答メッセージは、ＭＢＳゾーンＩＤ、ＭＢＳゾーンＩＤ別経路設定可否を表す情報（ｓｕｃｃｅｓｓ  ｏｒ  ｆａｉｌｕｒｅ）、経路設定が失敗した場合の失敗に対する詳細情報（Ｄｅｔａｉｌｅｄ  ｆａｉｌｕｒｅ  ｒｅｐｏｒｔ  ｐｅｒ  ＭＢＳ  ｚｏｎｅ  ＩＤ、ｅｘ）ｆａｉｌｅｄ  ＭＣＩＤリスト）、Ｓｏｕｒｃｅ  ＩＤ（ＢＳＩＤ）、Ｄｅｓｔｉｎａｔｉｏｎ  ＩＤ（ＡＳＮ＿ＧＷ  ＩＤ）、などを含むことができる。
【００５７】
一方、Ｒ３インタフェースに対するマルチキャストコネクションが設定されると、ＡＳＮ＿ＧＷ１０４は、ステップ２１１で、Ｒ３セッション開始応答（Ｓｅｓｓｉｏｎ  Ｓｔａｒｔ  Ｒｓｐ）メッセージを利用してＭＣＢＣＳサーバ１０２に応答する。ここで、このセッション開始応答メッセージは、ＭＢＳゾーンＩＤ、ＭＢＳゾーンＩＤ別経路設定可否を表す情報（Ｓｕｃｃｅｓｓ  ｏｒ  ｆａｉｌｕｒｅ  ｒｅｐｏｒｔ  ｐｅｒ  ＭＢＳ  ｚｏｎｅ  ＩＤ）、経路設定が失敗した場合の失敗に対する詳細情報（Ｄｅｔａｉｌｅｄ  ｆａｉｌｕｒｅ  ｒｅｐｏｒｔ  ｐｅｒ  ＭＢＳ  ｚｏｎｅ  ＩＤ、例えばｆａｉｌｅｄ  ＭＣＩＤリスト）、Ｓｏｕｒｃｅ  ＩＤ（ＡＳＮ＿ＧＷ  ＩＤ）、Ｄｅｓｔｉｎａｔｉｏｎ  ＩＤ（ＭＣＢＣＳサーバＩＤ）、などを含むことができる。即ち、このような手順で、ＭＣＢＣＳサーバと、ＡＳＮ＿ＧＷと、基地局（ＢＳ）との間のデータ経路を設定する。
【００５８】
上述した実施の形態において、ＭＣＢＣＳサーバが放送チャンネルアプリケーション階層ＩＤ或いは放送チャンネルマルチキャストＩＰアドレスを含むＲ３セッション開始要請メッセージをＡＳＮ＿ＧＷ（ＭＢＳ  Ｐｒｏｘｙ／ｐｒｉｍａｒｙ  ＭＢＳ  ＤＰＦ）に伝達する場合、ＡＳＮ＿ＧＷは、Ｒ３セッション開始応答メッセージにＡＳＮ＿ＧＷ或いはＮＡＰにより生成された［上位階層  ｖｓ  ＭＡＣ階層］放送チャンネルＩＤマッピング（ｍａｐｐｉｎｇ）関係を明示的に（ｅｘｐｌｉｃｉｔｌｙ）或いは暗示的に（ｉｍｐｌｉｃｉｔｌｙ）含めてＭＣＢＣＳサーバに応答することができる。ここで、暗示的な方法は、マルチキャストＩＰアドレス或いはアプリケーション階層ＩＤ（例：コンテンツＩＤ、プログラムＩＤなど）内にＭＡＣ階層ＩＤを含める方法を示す。
【００５９】
一方、上述したように、ＩＧＭＰジョインを行う場合、セッション開始要請メッセージ或いはＭＢＳ経路登録要請に対する成否はＩＧＭＰを通じて間接的にチェックできるので、各インタフェースに対するシグナリングは３‐ｗａｙ  ｈａｎｄｓｈａｋｅ（ｒｅｑ／ｒｓｐ／ａｃｋ）ではなく２‐ｗａｙ  ｈａｎｄｓｈａｋｅ（ｒｅｑ／ｒｓｐ）で十分である。ユニキャストを利用してシグナリングをする場合、２‐ｗａｙ或いは３‐ｗａｙを使用することができる。
【００６０】
上述した図２の手順はＭＢＳゾーンを新しく生成するか、或いはＭＢＳゾーンに対して放送チャンネルを追加する場合に行なわれることができる。
【００６１】
一方、上述した図２の実施の形態において、ＡＳＮ＿ＧＷ１０４は、Ｒ６応答メッセージ（ＭＢＳ＿Ｐａｔｈ＿Ｒｅｇ＿Ｒｓｐ）の結果に関わらず、セッション開始応答（Ｓｅｓｓｉｏｎ  Ｓｔａｒｔ  Ｒｓｐ）メッセージをＭＣＢＣＳサーバ１０２に伝達できるのは当然のことである。このような場合、データ経路設定の手順は図７の通りである。
【００６２】
図７に示すように、ＭＢＳデータの伝達前に、ＭＣＢＣＳサーバ１０２は、ステップ７０１で、マルチキャストコネクションセットアップを要請するために、ＡＳＮ＿ＧＷ１０４（或いはＭＢＳ  ｐｒｏｘｙ／Ｐｒｉｍａｒｙ  ＭＢＳ  ＤＰＦ）にＲ３セッション開始要請メッセージを伝送する。このＲ３セッション開始要請メッセージを受信すると、ＡＳＮ＿ＧＷ１０４は、ステップ７０３で、Ｒ３セッション開始要請メッセージ内に含まれたマルチキャストＩＰアドレスを基盤にマルチキャストコネクションを設定するために、マルチキャストルータ（ＭＲ：Ｍｕｌｔｉｃａｓｔ  Ｒｏｕｔｅｒ）にＩＧＭＰジョインメッセージを伝送する。即ち、ＡＳＮ＿ＧＷ１０４は、ＭＣＢＣＳサーバ１０２に連結されたマルチキャストルータ（Ｍｕｌｔｉｃａｓｔ  ｒｏｕｔｅｒ）にＩＧＭＰジョインメッセージを伝送して、特定マルチキャストアドレスに対する受信機能を活性化する。
【００６３】
このように、ＭＣＢＣＳサーバ１０２とのマルチキャストコネクションを設定した後、ＡＳＮ＿ＧＷ１０４は、ステップ７０５で、Ｒ３セッション開始応答メッセージをＭＣＢＣＳサーバ１０２に伝送する。ここで、このセッション開始応答メッセージは、各放送チャンネル別経路設定可否を表す情報（ｓｕｃｃｅｓｓ  ｏｒ  ｆａｉｌｕｒｅ）を含むことができる。ここで、Ｒ３セッション開始応答メッセージとＩＧＭＰジョインメッセージの伝送順番は逆になってもよい。
【００６４】
以後、ＡＳＮ＿ＧＷ１０４は、ステップ７０７で、Ｒ６データ経路設定（ｄａｔａ  ｐａｔｈ  ｅｓｔａｂｌｉｓｈｍｅｎｔ）及び基地局１０８でのエア資源予約（ｒｅｓｅｒｖａｔｉｏｎ  ｏｆ  ａｎ  ａｉｒ  ｒｅｓｏｕｒｃｅ  ａｔ  ｔｈｅ  ＢＳ）を要請するために、基地局１０８にＲ６ＭＢＳ経路登録要請メッセージを伝送する。かかるＲ６ＭＢＳ経路登録要請メッセージを受信すると、基地局１０８は、ステップ７０９で、当該受信されたメッセージ内の情報を基盤にしたマルチキャストコネクションを設定するために、マルチキャストルータにＩＧＭＰジョインメッセージを伝送する。前記ＩＧＭＰジョインを行った後、基地局１０８は、ステップ７１１で、Ｒ６ＭＢＳ経路登録応答メッセージをＡＳＮ＿ＧＷ１０４に伝送する。
【００６５】
図３は、本発明の実施の形態による放送サービスのためのデータ経路を解除するための手順を示している。
【００６６】
図３を参照すると、放送終了後（或いはＭＢＳデータ伝達が完了すると）、ＭＣＢＣＳサーバ１０２は、ステップ３０１で、マルチキャストコネクション解除（ｒｅｌｅａｓｅ）を要請するために、ＡＳＮ＿ＧＷ１０４にＲ３セッション解除要請（Ｓｅｓｓｉｏｎ  Ｒｅｌｅａｓｅ  Ｒｅｑ）メッセージを伝送する。このとき、Ｒ３セッション解除要請メッセージは、ＭＢＳゾーンＩＤ、該当ＭＢＳゾーンＩＤに対応する解除ＭＣＩＤ、マルチキャストＩＰアドレスなどを含むことができる。
【００６７】
かかるＲ３セッション解除要請メッセージが受信されれば、ＡＳＮ＿ＧＷ１０４は、ステップ３０３で、前記Ｒ３セッション解除要請メッセージ内に含まれたマルチキャストＩＰアドレスを基盤に該当マルチキャストコネクションを解除するために、ＭＣＢＣＳサーバ１０２に連結されたマルチキャストルータ（Ｍｕｌｔｉｃａｓｔ  ｒｏｕｔｅｒ）に、ＩＧＭＰリーブ（ｌｅａｖｅ）メッセージを伝送する。
【００６８】
前記ＩＧＭＰリーブを行なった後、ＡＳＮ＿ＧＷ１０４は、ステップ３０５で、Ｒ６データ経路解除及び基地局での無線資源解除を要請するために、該当するＭＢＳゾーン内の基地局１０８に、Ｒ６ＭＢＳ経路解除要請（ＭＢＳ＿ｐａｔｈ＿ＤｅＲｅｇ＿Ｒｅｑ）メッセージを伝送する。ここで、このＲ６ＭＢＳ経路解除要請メッセージは、ＢＳＩＤ、ＭＢＳゾーンＩＤ、ＧＲＥ（Ｇｅｎｅｒｉｃ  Ｒｏｕｔｉｎｇ  Ｅｎｃａｐｓｕｌａｔｉｏｎ）キー、該当ＭＢＳゾーンに対応する解除ＭＣＩＤ、マルチキャストＩＰアドレス、などを含むことができる。
【００６９】
一方、前記Ｒ６ＭＢＳ経路解除要請メッセージを受信した基地局１０８は、ステップ３０７で、当該受信されたメッセージの情報を基盤にマルチキャストコネクションを解除するために、ＡＳＮ＿ＧＷ１０４に連結されたマルチキャストルータ（Ｍｕｌｔｉｃａｓｔ  ｒｏｕｔｅｒ）に、ＩＧＭＰリーブメッセージを伝送する。このように、マルチキャストコネクションを解除した後、基地局１０８は、ステップ３０９で、当該Ｒ６ＭＢＳ経路解除要請メッセージに対する応答として、Ｒ６ＭＢＳ経路解除応答（ＭＢＳ＿Ｐａｔｈ＿ＤｅＲｅｇ＿Ｒｓｐ）メッセージをＡＳＮ＿ＧＷ１０４に伝送する。
【００７０】
一方、ＭＣＢＣＳサーバ１０２とのマルチキャストコネクションが解除されれば、ＡＳＮ＿ＧＷ１０４は、ステップ３１１で、Ｒ３セッション解除応答（Ｓｅｓｓｉｏｎ  Ｒｅｌｅａｓｅ  Ｒｓｐ）メッセージをＭＣＢＣＳサーバ１０２に伝送する。即ち、このような手順によって、ＭＣＢＣＳサーバと、ＡＳＮ＿ＧＷと、基地局（ＢＳ）との間のデータ経路を解除する。
【００７１】
また、上述した図３の手順は、ＭＢＳゾーンを削除するか或いはＭＢＳゾーン内の一部チャンネルを削除する場合に行なわれることができる。
【００７２】
上述した図２と図３において、Ｒ６マルチキャストＩＰアドレスとＭＢＳゾーンＩＤは１：１の関係を有するので、基地局は、ＩＧＭＰジョイン／リーブトランザクション（ｔｒａｎｓａｃｔｉｏｎ）をＭＢＳゾーン個数だけ行なうことができる。
【００７３】
データ経路設定／解除のためのシグナリングを行う際に、該当インタフェース（Ｒ３或いはＲ６）を介して伝達されるベアラトラフィックがマルチキャストである場合、上述したようにＩＧＭＰジョイン／リーブを行なうが、ベアラトラフィックがユニキャストで伝達される場合には、上述したＩＧＭＰ手順は必要ない。ベアラトラフィックのＩＰアドレスは、Ｒ３インタフェース上で放送チャンネルと１：１或いは１：ｎ関係を有し、Ｒ６インタフェース上ではＭＢＳゾーンと１：１関係を有する。ＩＧＭＰジョイン／リーブのメッセージ個数はマルチキャストＩＰアドレス個数に比例し、本実施形態によるＲ６インタフェースの場合、マルチキャストＩＰアドレスがＭＢＳゾーン単位で割り当てられるので、結果的にバックホール（ｂａｃｋｈａｕｌ）のシグナリングオーバーヘッドを著しく減らすことができる。
【００７４】
一方、ＡＳＮ＿ＧＷ１０４は、Ｒ６ＭＢＳ経路解除応答メッセージ（ＭＢＳ＿Ｐａｔｈ  Ｄｅｒｅｇ＿Ｒｓｐ）の結果に関わらずセッション解除応答（Ｓｅｓｓｉｏｎ  Ｒｅｌｅａｓｅ  Ｒｓｐ）メッセージをＭＣＢＣＳサーバ１０２に伝達できるのは当然のことである。このような場合、データ経路解除手順は図８の通りである。
【００７５】
図８に示すように、ＭＢＳデータ伝達が完了すれば、ＭＣＢＣＳサーバ１０２は、ステップ８０１で、マルチキャストコネクション解除を要請するために、ＡＳＮ＿ＧＷ１０４（或いはＭＢＳ  ｐｒｏｘｙ／Ｐｒｉｍａｒｙ  ＭＢＳ  ＤＰＦ）にＲ３セッション解除要請メッセージを伝送する。かかるＲ３セッション解除要請メッセージが受信されれば、ＡＳＮ＿ＧＷ１０４は、ステップ８０３で、当該Ｒ３セッション解除要請メッセージ内に含まれたマルチキャストＩＰアドレスを基盤にマルチキャストコネクションを解除するために、ＭＣＢＣＳサーバ１０２に連結されたマルチキャストルータ（ＭＲ）に、ＩＧＭＰリーブ（ｌｅａｖｅ）メッセージを伝送する。
【００７６】
このように、ＭＣＢＣＳサーバ１０２とのマルチキャストコネクションを解除した後、ＡＳＮ＿ＧＷ１０４は、ステップ８０５で、Ｒ３セッション解除応答メッセージをＭＣＢＣＳサーバ１０２に伝送する。ここで、このＲ３セッション解除応答メッセージは、各放送チャンネル別経路解除可否を示す情報（ｓｕｃｃｅｓｓ  ｏｒ  ｆａｉｌｕｒｅ）を含むことができる。なお、セッション解除応答メッセージとＩＧＭＰリーブメッセージの伝送順序は逆になってもよい。以後、ステップ８０７乃至ステップ８１１の手順は図３のステップ３０５乃至ステップ３０９の手順と等しいので、ここでは詳しい説明は省略する。
【００７７】
図４は、本発明の実施の形態による放送サービスのためのデータ経路を変更するための手順を示している。
【００７８】
図４を参照すると、特定放送チャンネルに対するパラメーター変更が必要な場合、ＭＣＢＣＳサーバ１０２は、ステップ４０１で、ＡＳＮ＿ＧＷ１０４にセッション変更要請（Ｓｅｓｓｉｏｎ  Ｍｏｄｉｆｉｃａｔｉｏｎ  Ｒｅｑ）メッセージを伝送する。ここで、このセッション変更要請メッセージは、ＭＢＳゾーンＩＤ、変更が必要な放送チャンネルのＭＣＩＤ、変更されたパラメーター情報（例：エアスケジューリング情報など）、などを含むことができる。
【００７９】
かかるセッション変更要請メッセージが受信されれば、ＡＳＮ＿ＧＷ１０４は、ステップ４０３で、該当放送チャンネルのパラメーター情報を変更し、当該放送チャンネルをサービスする該当ＭＢＳゾーンの基地局１０８に、ＭＢＳ経路変更要請（ＭＢＳ＿Ｐａｔｈ＿Ｍｏｄ＿Ｒｅｑ）メッセージを伝送する。ここで、このＭＢＳ経路変更要請メッセージは、ＢＳＩＤ、ＭＢＳゾーンＩＤ、変更が必要な放送チャンネルのＭＣＩＤ、変更されたパラメーター情報（例：エアスケジューリング情報など）、などを含むことができる。
【００８０】
一方、このＭＢＳ経路変更要請メッセージを受信した基地局１０８は、ステップ４０５で、該当ＭＢＳゾーンの該当放送チャンネルのパラメーター情報を変更し、当該ＭＢＳ経路変更要請メッセージに対する応答として、ＭＢＳ経路変更応答（ＭＢＳ＿Ｐａｔｈ＿Ｍｏｄ＿Ｒｓｐ）メッセージをＡＳＮ＿ＧＷ１０４に伝送する。ここで、このＭＢＳ経路変更応答メッセージは、基地局識別子（ＢＳＩＤ）、ＭＢＳゾーンＩＤ、ＭＣＩＤ、放送チャンネル別パラメーター変更可否を表す情報、変更が失敗した場合の失敗に対する詳細情報、などを含むことができる。
【００８１】
一方、該当基地局からこのＭＢＳ経路変更応答メッセージが受信されれば、ＡＳＮ＿ＧＷ１０４は、ステップ４０７で、セッション変更応答（Ｓｅｓｓｉｏｎ  Ｍｏｄｉｆｉｃａｔｉｏｎ  Ｒｓｐ）メッセージをＭＣＢＣＳサーバ１０２に伝送する。ここで、このセッション変更応答メッセージは、ＭＢＳゾーンＩＤ、該当ＭＣＩＤ、放送チャンネル別パラメーター変更可否を表す情報（ｓｕｃｃｅｓｓ  ｏｒ  ｆａｉｌｕｒｅ）、変更が失敗した場合の失敗に対する詳細情報、などを含むことができる。
【００８２】
上述した図４の手順は、設定（ｓｅｔｕｐ）された放送チャンネルのパラメーター情報（例：エアスケジューリング情報）を変更する場合に行なわれることができる。一方、上述したセッション変更要請メッセージ及びセッション変更応答メッセージの機能は、セッション開始要請メッセージ及びセッション開始応答メッセージに取り替えられることもできる。
【００８３】
一方、ＡＳＮ＿ＧＷ１０４は、Ｒ６ＭＢＳ経路変更応答メッセージ（ＭＢＳ＿Ｐａｔｈ  Ｍｏｄ＿Ｒｓｐ）の結果に関わらず、セッション変更応答（Ｓｅｓｓｉｏｎ＿Ｍｏｄ＿Ｒｓｐ）メッセージをＭＣＢＣＳサーバ１０２に伝達できるのは当然のことである。このような場合、データ経路変更の手順は図９の通りである。
【００８４】
図９に示すように、ステップ９０１でＭＣＢＣＳサーバ１０２からセッション変更要請メッセージが受信されれば、ＡＳＮ＿ＧＷ１０４は、ステップ９０３で、該当放送チャンネルのパラメーター情報を変更し、セッション変更応答メッセージをＭＣＢＣＳサーバ１０２に伝送する。ここで、このセッション変更応答メッセージは、各放送チャンネル別経路変更可否を表す情報（ｓｕｃｃｅｓｓ  ｏｒ  ｆａｉｌｕｒｅ）を含むことができる。以後、ステップ９０５乃至ステップ９０７の手順は図４のステップ４０３乃至ステップ４０５の手順と等しいので、ここでは詳しい説明は省略する。
【００８５】
上述したセッション開始／セッション解除／セッション変更を処理するＡＳＮ＿ＧＷ内の機能部はＭＢＳプロキシ（ｐｒｏｘｙ）と定義し、ＩＧＭＰジョイン／リーブ及びＭＢＳ＿Ｐａｔｈ＿Ｒｅｇ／Ｄｅｒｅｇを処理する機能部はＭＢＳ  ＤＰＦ（Ｄａｔａ  Ｐａｔｈ  Ｆｕｎｃｔｉｏｎ）と定義することにする。ここで、ＭＢＳプロキシとｐｒｉｍａｒｙ  ＭＢＳ  ＤＰＦは、コーロケーション（ｃｏ‐ｌｏｃａｔｉｏｎ）されており（即ち、同一のＡＳＮ＿ＧＷに存在する）、ＭＢＳゾーンごとに一つ存在しうる。
【００８６】
ここで、ＭＢＳ  ＤＰＦは、「ｐｒｉｍａｒｙ  ＭＢＳ  ＤＰＦ」と「ｓｅｒｖｉｎｇＭＢＳ  ＤＰＦ」に分けることができ、ｐｒｉｍａｒｙ  ＭＢＳ  ＤＰＦがＭＣＢＣＳサーバとのＩＧＭＰジョイン／リーブを処理し、自らの管轄する同一のＡＳＮ内び該当ＭＢＳゾーンに属する基地局にＭＢＳ＿Ｐａｔｈ＿Ｒｅｇ／Ｄｅｒｅｇを伝送する。もし、異なる複数のＡＳＮが同じＭＢＳゾーンに属する場合、ｐｒｉｍａｒｙ  ＭＢＳ  ＤＰＦは、Ｒ４インタフェース（ｐｒｉｍａｒｙ  ＭＢＳ  ＰＤＦ→他のＡＳＮのｓｅｒｖｉｎｇ  ＭＢＳ  ＰＤＦ）を介して、ＭＢＳ＿Ｐａｔｈ＿Ｒｅｇ／Ｄｅｒｅｇを伝送することができる。
【００８７】
また、Ｐｒｉｍａｒｙ  ＭＢＳ  ＰＤＦは、同期化のためのタイムスタンピング及びパケット化を担当する。もし、ＭＢＳゾーンに多数のＡＳＮが存在する場合、ｐｒｉｍａｒｙ  ＭＢＳ  ＤＰＦは、同期化されたパケットを他のＡＳＮのＳｅｒｖｉｎｇ  ＭＢＳ  ＤＰＦにリレーし、当該Ｓｅｒｖｉｎｇ  ＭＢＳ  ＤＰＦは、同期化されたパケットを自らの管理する同一ＭＢＳゾーン内の基地局にリレーする。
【００８８】
上述した図２乃至図４及び図７乃至図９において、本発明によるメッセージに含まれる内容の最小単位は放送チャンネルを仮定し、一つのＭＢＳゾーンで同一時間帯に放送される放送チャンネルは一つのメッセージに含まれると仮定する。また、本発明によるメッセージは、少なくとも一つ以上のＭＢＳゾーンに対するセット（ｓｅｔ）情報を含むことができると仮定する。
【００８９】
また、ｍｕｌｔｉ‐ＢＳ  ＭＢＳの場合、一つのサブセルに対する一つのＭＢＳゾーンに対して同じ時間帯に放送される放送チャンネルのうち何れか一つでもデータ経路設定に失敗した場合、該当サブセルは該当ＭＢＳゾーンに対するサービスを提供しないと仮定する。ところが、事業者政策によって、一部放送チャンネルに対する経路設定が失敗しても、該当ＭＢＳゾーンをサービスすることもできる。
【００９０】
尚、シグナリングのＩＰアドレスは、受信ＮＥ（ネットワークエンティティ）のＩＰアドレスを使用すると仮定する。従って、Ｒ６シグナリングメッセージのＩＰアドレスはＢＳ（基地局）のＩＰアドレスになりうる。このような場合、ＭＢＳゾーンＩＤがどのサブセルに属するかを区別するため、該当シグナリングメッセージは、ＭＢＳゾーンＩＤとともに該当サブセルの識別子（例：ＢＳＩＤ）も含むことができる。
【００９１】
一方、緊急／災難放送が必要な場合、図２のようなＭＣＢＣＳサーバ‐ＡＳＮ＿ＧＷ‐ＢＳの間にデータ経路設定が必要であるが、このようなシグナリング遅延を除去するためには、緊急放送のためのＭＣＩＤ、ＭＢＳゾーンＩＤ、Ｒ３／Ｒ６マルチキャストＩＰアドレス及びＧＲＥキーなどを予め設定（ｃｏｎｆｉｇｕｒａｔｉｏｎ）して運営することもできる。
【００９２】
また、スリープ及びアイドル状態の端末に緊急放送を提供するため、本実施形態では、スリープ状態の端末に対してはリスニングウィンドー（Ｌｉｓｔｅｎｉｎｇ  Ｗｉｎｄｏｗ）期間中に、アイドル状態の端末に対してはＰＬＩ（Ｐａｇｉｎｇ  Ｌｉｓｔｅｎｉｎｇ  Ｉｎｔｅｒｖａｌ）期間中に、ＭＢＳ＿ＭＡＰ＿ＩＥを伝送すると仮定する。現在、緊急放送に対しては、ｍｕｌｔｉ‐ＢＳ  ＭＢＳではなくｓｉｎｇｌｅ‐ＢＳ  ＭＢＳを仮定している。このｓｉｎｇｌｅ‐ＢＳ  ＭＢＳの場合、ＭＢＳ＿ＭＡＰ＿ＩＥは、１６ビットＣＩＤ、緊急放送情報を含むデータバーストの位置と大きさ、エアスケジューリング情報を全て含むことができる。現在の規格上は、端末がＣＩＤだけ読んで緊急放送であるかを区別することができないが、本実施形態では、特定ＣＩＤを緊急放送用に固定割当てすることを提案する。このとき、ＭＣＩＤ（Ｍｕｌｔｉｃａｓｔ  ＣＩＤ）とＴＣＩＤ（Ｔｒａｎｓｐｏｒｔ  ＣＩＤ）の両方を使用可能であるが、ＴＣＩＤはユニキャストトラフィックのために使用されるので、特定ＭＣＩＤを緊急放送用ＣＩＤに固定することが好ましい。
【００９３】
本実施形態で言及される識別子は次の通りである。
【００９４】
コンテンツＩＤ（ｃｏｎｔｅｎｔ  ＩＤ）はアプリケーション階層の放送チャンネル識別子であり、ＭＢＳゾーンＩＤは放送サービス地域に対する識別子であり、ＭＣＩＤはＭＢＳゾーン内でユニーク（ｕｎｉｑｕｅ）なＭＡＣ階層の放送チャンネル識別子である。ここで、ＡＳＮでＭＢＳゾーンＩＤ、ＭＣＩＤ、Ｒ６マルチキャストアドレスを管理する方案は下記の表３の通りである。
【００９５】
【表３】
0004897003.tif 000004
【００９６】
上記の表３に示すように、一つのＭＢＳゾーンＩＤに複数のサブセル（ＢＳＩＤ）が含まれることができる。同時に、一つのサブセルで複数のＭＢＳゾーンを支援することができる。放送スケジュールによってＭＢＳゾーンＩＤ及びＭＣＩＤが予め決まるので、統合ＯＭＣがＭＢＳゾーンＩＤ別にＲ６マルチキャストＩＰアドレスを割り当ててＡＳＮ＿ＧＷに伝達する。
【００９７】
以下、上述した内容に基づいた全般的なデータ通信手順について説明する。
【００９８】
図５は、本発明の実施の形態によるＡＳＮ＿ＧＷの動作手順を示している。
【００９９】
図５を参照すると、先ず、ＡＳＮ＿ＧＷ１０４は、ステップ５０１で、ＭＣＢＣＳサーバ１０２から放送チャンネルに対するデータ経路設定を指示するトリガーリングが受信されるか検査する。ここで、このデータ経路設定を指示するトリガーリングは前述したセッション開始要請メッセージでありうる。かかるセッション開始要請メッセージが受信された場合に、ＡＳＮ＿ＧＷ１０４は、ステップ５０３に進行して、このセッション開始要請メッセージから情報を抽出し、該抽出された情報を格納する。このように格納された情報は、以後のシグナリング及びトラフィック伝送に使用されることができる。また、ＡＳＮ＿ＧＷ１０４は、当該抽出された情報を利用して、ＭＣＢＣＳサーバ１０２に連結されたマルチキャストルータ（Ｍｕｌｔｉｃａｓｔ  ｒｏｕｔｅｒ）にＩＧＭＰジョイン（ｊｏｉｎ）を行って、特定マルチキャストアドレスに対する受信機能を活性化する。他の実施の形態として、ＡＳＮ＿ＧＷ１０４は、放送スケジュールによって放送開始前の適切な時間にＩＧＭＰジョインを行なうこともできる。
【０１００】
ＩＧＭＰジョインを行った後、ＡＳＮ＿ＧＷ１０４は、ステップ５０５で、該当ＭＢＳゾーン内基地局１０８にＭＢＳ経路設定トリガーリングを伝送する。このとき、かかるＭＢＳ経路設定トリガーリングは、前述したＭＢＳ経路登録要請（ＭＢＳ＿Ｐａｔｈ＿Ｒｅｇ＿Ｒｅｑ）メッセージでありうる。
【０１０１】
一方、このＭＢＳ経路登録要請メッセージを受信した基地局１０８は、当該ＭＢＳ経路登録要請メッセージから情報を抽出し、該抽出された情報を格納する。このように格納された情報は、以後のシグナリング及びトラフィック伝送に使用されることができる。そして、基地局１０８は、当該抽出された情報を利用して、ＡＳＮ＿ＧＷ１０４に連結されたマルチキャストルータ（Ｍｕｌｔｉｃａｓｔ  ｒｏｕｔｅｒ）にＩＧＭＰジョイン（Ｊｏｉｎ）を行って、特定マルチキャストアドレスに対する受信機能を活性化し、ＭＢＳ経路登録要請メッセージに対する応答をＡＳＮ＿ＧＷ１０４に伝送する。このとき、ＭＢＳ経路登録要請メッセージに対する応答は、前述したＭＢＳ経路登録応答（ＭＢＳ＿Ｐａｔｈ＿Ｒｅｇ＿Ｒｓｐ）メッセージでありうる。他の実施の形態として、基地局１０８は、放送スケジュールによって放送開始前の適切な時間にＩＧＭＰジョインを行なうこともできる。
【０１０２】
従って、ＭＢＳ経路登録要請メッセージを伝送した後、ＡＳＮ＿ＧＷ１０４は、ステップ５０７で、該当ＭＢＳゾーンに属する基地局１０８からＭＢＳ経路登録要請メッセージに対する応答（ＭＢＳ経路登録応答）が受信されるか検査する。当該基地局１０８から応答が受信された場合、ＡＳＮ＿ＧＷ１０４は、ステップ５０９に進行して、データ経路設定に対する応答（セッション開始応答）メッセージをＭＣＢＣＳサーバ１０２に伝送する。他の例として、データ経路設定に対する応答（セッション開始応答）メッセージは、Ｒ６応答メッセージの結果に関わらず、ステップ５０３でＩＧＭＰジョインを行った直後にＭＣＢＣＳサーバ１０２に伝送されることができる。前述のように、放送サービスのためのデータ経路を設定した後、ＡＳＮ＿ＧＷ１０４は、ステップ５１１で、ＭＣＢＣＳサーバ１０２から該当Ｒ３放送チャンネルＩＰ（Ｒ３ＭＩＰ）パケットが受信されるか検査する。放送開始によってＲ３放送データパケットが受信され始めれば、ＡＳＮ＿ＧＷ１０４は、ステップ５１３で、受信されるＲ３放送データパケットを該当ＭＢＳゾーンの該当ＭＣＩＤキュー（ｑｕｅｕｅ）に格納する。
【０１０３】
そして、ＡＳＮ＿ＧＷ１０４は、ステップ５１５で、ＭＣＩＤキューに格納されたパケットを、無線区間のバーストサイズを考慮してパケット化する。即ち、ＡＳＮ＿ＧＷ１０４は、ＭＣＩＤキューに格納されたＩＰパケットを、無線区間のバーストサイズに合わせて分割（ｆｒａｇｍｅｎｔａｔｉｏｎ）及びパッキング（ｐａｃｋｉｎｇ）してＭＡＣ  ＳＤＵを生成する。
【０１０４】
そして、ＡＳＮ＿ＧＷ１０４は、ステップ５１７で、上記パケット化を通じて生成された各ＭＡＣ  ＳＤＵ（Ｓｅｒｖｉｃｅ  Ｄａｔａ  Ｕｎｉｔ）に放送絶対時間をタイムスタンピング（ｔｉｍｅ  ｓｔａｍｐｉｎｇ）し、かかるＭＡＣ  ＳＤＵの前にＧＲＥ（Ｇｅｎｅｒｉｃ  Ｒｏｕｔｉｎｇ  Ｅｎｃａｐｓｕｌａｔｉｏｎ）ヘッダを付けてトンネリングパケット（ＧＲＥパケット）を生成する。このとき、ＧＲＥヘッダには、ＭＢＳゾーンＩＤ、ＭＣＩＤのような放送関連情報が記録される。
【０１０５】
また、ＡＳＮ＿ＧＷ１０４は、ステップ５１９で、当該トンネリングパケットにマルチキャストのためのＲ６マルチキャストＩＰヘッダを付けてＩＰパケットを生成し、かかるＩＰパケットを物理階層エンコードして該当ＭＢＳゾーン内基地局にマルチキャストする。上述したステップ５１１乃至ステップ５１９は、該当ＭＢＳゾーンに対するデータ経路が解除されない限り行われ続ける。また、一つのＭＢＳゾーンに多数のＡＳＮ＿ＧＷが存在する場合、特定の一つをアンカＡＮＳ＿ＧＷに指定し、当該アンカＡＳＮ＿ＧＷが上述したデータ及び時間同期化を行なうことができる。
【０１０６】
一方、ＡＳＮ＿ＧＷ１０４は、ステップ５０１でＭＣＢＣＳサーバ１０２から放送チャンネルに対するデータ経路設定を指示するトリガーリングが受信されていないと判定された場合のステップ５２１で、ＭＣＢＣＳサーバ１０２から任意放送ゾーン（または放送チャンネル）に対するデータ経路解除を指示するトリガーリングが受信されるか検査する。ここで、このデータ経路解除を指示するトリガーリングは、前述したセッション解除要請メッセージでありうる。かかるセッション解除要請メッセージが受信された場合に、ＡＳＮ＿ＧＷ１０４は、ステップ５２３に進行して、ＭＣＢＣＳサーバ１０２に連結されたマルチキャストルータ（Ｍｕｌｔｉｃａｓｔ  ｒｏｕｔｅｒ）にＩＧＭＰリーブ（ｌｅａｖｅ）メッセージを伝送して、ＭＣＢＣＳサーバ１０２とＡＳＮ＿ＧＷ１０４の間のデータ経路を解除する。他の実施の形態として、ＡＳＮ＿ＧＷ１０４は、放送スケジュールによって放送終了後の適切な時間にＩＧＭＰリーブを行なうこともできる。
【０１０７】
かかるＩＧＭＰリーブを行なった後に、ＡＳＮ＿ＧＷ１０４は、ステップ５２５で、該当ＭＢＳゾーン内基地局１０８にＭＢＳ経路解除トリガーリングを伝送する。このとき、このＭＢＳ経路解除トリガーリングは、前述したＭＢＳ経路解除要請（ＭＢＳ＿ｐａｔｈ＿ＤｅＲｅｇ＿Ｒｅｑ）メッセージでありうる。一方、かかるＭＢＳ経路解除要請メッセージを受信した基地局１０８は、ＡＳＮ＿ＧＷ１０４に連結されたマルチキャストルータ（Ｍｕｌｔｉｃａｓｔ  ｒｏｕｔｅｒ）にＩＧＭＰリーブメッセージを伝送してＡＳＮ＿ＧＷ１０４と基地局１０８の間のデータ経路を解除し、ＭＢＳ経路解除要請メッセージに対する応答（ＭＢＳ経路解除応答）をＡＳＮ＿ＧＷ１０４に伝送する。
【０１０８】
従って、ＡＳＮ＿ＧＷ１０４は、ステップ５２７で、基地局１０８からかかるＭＢＳ経路解除応答が受信されるか検査する。該当ＭＢＳゾーン内基地局からＭＢＳ経路解除応答メッセージが受信されれば、ＡＳＮ＿ＧＷ１０４は、ステップ５２９に進行して、データ経路解除に対する応答（セッション解除応答）をＭＣＢＣＳサーバ１０２に伝送する。他の例として、データ経路解除に対する応答（セッション解除応答）メッセージは、Ｒ６応答メッセージの結果に関わらず、ステップ５２３でＩＧＭＰリーブを行なった直後にＭＣＢＣＳサーバ１０２に伝送されることができる。
【０１０９】
一方、ＡＳＮ＿ＧＷ１０４は、ステップ５２１でＭＣＢＣＳサーバ１０２から任意放送ゾーン（または放送チャンネル）に対するデータ経路解除を指示するトリガーリングが受信されていないと判定された場合のステップ５３１で、ＭＣＢＣＳサーバ１０２から任意放送チャンネルに対するデータ経路変更を指示するトリガーリングが受信されるか検査する。ここで、このデータ経路変更を指示するトリガーリングは、前述したセッション変更要請メッセージでありうる。
【０１１０】
かかるセッション変更要請メッセージが受信された場合に、ＡＳＮ＿ＧＷ１０４は、ステップ５３３に進行して、該当放送チャンネルのパラメーター情報を変更し、該当放送チャンネルをサービスする該当ＭＢＳゾーンの基地局に、ＭＢＳ経路変更トリガーリングを伝送する。このとき、このＭＢＳ経路変更トリガーリングは、前述したＭＢＳ経路変更要請（ＭＢＳ＿ｐａｔｈ＿Ｍｏｄ＿Ｒｅｑ）メッセージでありうる。
【０１１１】
一方、かかるＭＢＳ経路変更要請メッセージを受信した基地局１０８は、該当放送チャンネルのパラメーター情報を変更し、当該ＭＢＳ経路変更要請メッセージに対する応答として、ＭＢＳ経路変更応答（ＭＢＳ＿Ｐａｔｈ＿Ｍｏｄ＿Ｒｓｐ）メッセージをＡＳＮ＿ＧＷ１０４に伝送する。
【０１１２】
従って、ＡＳＮ＿ＧＷ１０４は、ステップ５３５で、該当基地局１０８からＭＢＳ経路変更応答メッセージが受信されるか検査する。ＭＢＳ経路変更応答メッセージが受信された場合に、ＡＳＮ＿ＧＷ１０４は、ステップ５３７に進行して、セッション変更応答（Ｓｅｓｓｉｏｎ  Ｍｏｄｉｆｉｃａｔｉｏｎ  Ｒｓｐ）メッセージをＭＣＢＣＳサーバ１０２に伝送する。他の例として、セッション変更応答メッセージは、Ｒ６応答メッセージの結果に関わらずＭＣＢＣＳサーバ１０２に伝送されることができる。
【０１１３】
図６は、本発明の実施の形態によるＡＳＮ＿ＧＷ１０４の構成を示している。
【０１１４】
図示されたように、ＡＳＮ＿ＧＷは、制御部６００、Ｒ３インタフェース部６０２、Ｒ６インタフェース部６０４、バッファ６０６、パケット同期化部６０８及びトンネリングパケット生成部６１０を含む。
【０１１５】
図６を参照すると、制御部６００は、このＡＳＮ＿ＧＷ１０４の全般的な動作を制御する。例えば、制御部６００は、表２のような放送サービスのための多様な情報を管理し、表２のような情報に基づいて放送サービスを提供する。
【０１１６】
Ｒ３インタフェース部６０２は、ＭＣＢＣＳサーバ１０２から受信されるＩＰパケットを解釈し、送信ＩＰパケットを生成してＭＣＢＣＳサーバ１０２に送信する。このとき、受信されたパケットがシグナリングと判断される場合、Ｒ３インタフェース部６０２は、受信パケットからシグナリング情報を抽出して制御部６００に提供する。また、Ｒ３インタフェース部６０２は、制御部６００の制御下でシグナリング情報を含むパケットを生成してＭＣＢＣＳサーバ１０２に送信する。
【０１１７】
Ｒ６インタフェース部６０４は、基地局１０８から受信されるＩＰパケットを解釈し、送信ＩＰパケットを生成して基地局１０８に送信する。このとき、受信されたパケットがシグナリングと判断される場合、Ｒ６インタフェース部６０４は、受信パケットからシグナリング情報を抽出して制御部６００に提供する。また、Ｒ３インタフェース部６０４は、制御部６００の制御下でシグナリング情報を含むパケットを生成して基地局１０８に送信する。
【０１１８】
本発明によってＭＣＢＣＳサーバ１０２からセッション開始要請（ＳｅｓｓｉｏｎＳｔａｒｔ  Ｒｅｑ）メッセージが受信された場合、制御部６００は、Ｒ３インタフェース部６０２を制御してＭＣＢＣＳサーバ１０２にＩＧＭＰジョイン（ｊｏｉｎ）を行う。かかるＩＧＭＰジョインを行った後、制御部６００は、Ｒ６インタフェース部６０４を制御して、該当ＭＢＳゾーンに属する基地局にＭＢＳ経路登録要請（ＭＢＳ＿Ｐａｔｈ＿Ｒｅｇ＿Ｒｅｑ）メッセージを伝送する。このＭＢＳ経路登録要請メッセージを伝送した後、当該基地局からＭＢＳ経路登録応答メッセージが受信されれば、制御部６００は、Ｒ３インタフェース部６０２を制御して、ＭＣＢＣＳサーバ１０２にセッション開始応答（ｓｅｓｓｉｏｎ  ｓｔａｒｔ  ｒｓｐ）メッセージを送信する。他の例として、セッション開始応答メッセージは、Ｒ６応答メッセージの結果に関わらず、ＭＣＢＣＳサーバ１０２に伝送されることができる。
【０１１９】
このように、放送サービスのためのデータ経路を設定した後、Ｒ３インタフェース部６０２は、受信されるパケットをＲ３放送チャンネルＩＰアドレス別に分類し、該分類されたパケットをバッファ６０６に提供する。バッファ６０６は、Ｒ３インタフェース部６０２からのＲ３放送パケットを該当ＭＢＳゾーンの該当ＭＣＩＤキューに格納し、制御部６００の制御下で該当パケットを出力する。
【０１２０】
パケット同期化部６０８は、バッファ６０６からのパケットを無線区間のバーストサイズに合わせて分割（ｆｒａｇｍｅｎｔａｔｉｏｎ）及びパッキング（ｐａｃｋｉｎｇ）して、ＭＡＣ  ＳＤＵ（Ｓｅｒｖｉｃｅ  Ｄａｔａ  Ｕｎｉｔ）を生成する。トンネリングパケット生成部６１０は、パケット同期化部６０８からの各ＭＡＣ  ＳＤＵ（Ｓｅｒｖｉｃｅ  Ｄａｔａ  Ｕｎｉｔ）に放送絶対時間をタイムスタンピング（Ｔｉｍｅ  ｓｔａｍｐｉｎｇ）し、上記ＭＡＣ  ＳＤＵの前にＧＲＥヘッダを付けてトンネリングパケット（ＧＲＥパケット）を生成してＲ６インタフェース部６０４に提供する。このとき、当該ＧＲＥパケットのヘッダには、ＭＢＳゾーンＩＤ、ＭＣＩＤのような放送関連情報が記録されることができる。
【０１２１】
次に、Ｒ６インタフェース部６０４は、当該ＧＲＥパケットにマルチキャストのためのＲ６マルチキャストＩＰヘッダを付けてＩＰパケットを生成し、かかるＩＰパケットを実際伝送可能に物理階層エンコードして、該当ＭＢＳゾーン内基地局にマルチキャストする。
【０１２２】
また、本実施形態では、ＭＣＢＣＳサーバ１０２からセッション解除要請（Ｓｅｓｓｉｏｎ  Ｒｅｌｅａｓｅ  Ｒｅｑ）メッセージが受信された場合、制御部６００は、Ｒ３インタフェース部６０２を制御してＭＣＢＣＳサーバ１０２にＩＧＭＰリーブ（ｌｅａｖｅ）を行う。かかるＩＧＭＰリーブを行なった後、制御部６００は、Ｒ６インタフェース部６０４を制御して該当ＭＢＳゾーンに属する基地局にＭＢＳ経路解除要請（ＭＢＳ＿Ｐａｔｈ＿ＤｅＲｅｇ＿Ｒｅｑ）メッセージを伝送する。かかるＭＢＳ経路解除要請メッセージを伝送した後、当該基地局からＭＢＳ経路解除応答メッセージが受信されれば、制御部６００は、Ｒ３インタフェース部６０２を制御してＭＣＢＣＳサーバ１０２にセッション解除応答（ｓｅｓｓｉｏｎ  ｒｅｌｅａｓｅ  ｒｓｐ）メッセージを送信する。このようにして、データ経路を解除する。他の例として、セッション解除応答メッセージは、Ｒ６応答メッセージの結果に関わらず、ＭＣＢＣＳサーバ１０２に伝送されることができる。
【０１２３】
また、本発明によって、ＭＣＢＣＳサーバ１０２からセッション変更要請（Ｓｅｓｓｉｏｎ  Ｍｏｄ  Ｒｅｑ）メッセージが受信された場合、制御部６００は、該当放送チャンネルのパラメーター情報（例：エアスケジューリング情報など）を変更する。そして、制御部６００は、Ｒ６インタフェース部６０４を制御して、該当放送チャンネルをサービスする該当ＭＢＳゾーンに属する基地局にＭＢＳ経路変更要請（ＭＢＳ＿Ｐａｔｈ＿Ｍｏｄ＿Ｒｅｑ）メッセージを伝送する。かかるＭＢＳ経路変更要請メッセージを伝送した後、当該基地局からＭＢＳ経路変更応答メッセージが受信されれば、制御部６００は、Ｒ３インタフェース部６０２を制御して、ＭＣＢＣＳサーバ１０２にセッション変更応答（ｓｅｓｓｉｏｎ  Ｍｏｄ  ｒｓｐ）メッセージを送信する。このように、放送チャンネルのパラメーターを変更する。他の例として、セッション変更応答メッセージは、Ｒ６応答メッセージの結果に関わらず、ＭＣＢＣＳサーバ１０２に伝送されることができる。
【０１２４】
以上、本発明の詳細な説明では、具体的な実施の形態について説明したが、特許請求の範囲に記載されるような本発明の精神及び範囲から離脱することなく、形式や細部等についての様々な変更が可能であることは勿論である。したがって、本発明の範囲は、上述した実施の形態に限定されるものではなく、特許請求の範囲の記載及びこれと均等なものによって定められるべきである。
【符号の説明】
【０１２５】
１０２  ＭＣＢＣＳサーバ（放送サーバ）
１０４  ＡＳＮ＿ＧＷ（制御局）
１０８  基地局
６００  制御部
６０２  Ｒ３インタフェース部（第１インタフェース部）
６０４  Ｒ６インタフェース部（第２インタフェース部）
【図１】
0004897003.tif 000005
【図２】
0004897003.tif 000006
【図３】
0004897003.tif 000007
【図４】
0004897003.tif 000008
【図５】
0004897003.tif 000009
【図６】
0004897003.tif 000010
【図７】
0004897003.tif 000011
【図８】
0004897003.tif 000012
【図９】
0004897003.tif 000013